(57)【要約】【課題】より確実に端子を被実装部材に実装させることが可能なコネクタを得る。【解決手段】コネクタ１は、ハウジング１０と、ハウジング１０に保持され、ハウジング１０の外側に配置された被実装部材１Ａに実装される端子と、を備えている。また、端子は、ハウジング１０に形成された空間に挿入される本体部と、本体部から被実装部材１Ａの実装面１ａＡに向けて延設された脚部と、脚部に連設されて被実装部材１Ａに実装される実装部と、を備えている。そして、コネクタ１は、ハウジング１０に接続されて、脚部を保持する脚部保持部をさらに備えている。【選択図】図１５
2019192612.tif 000002
【特許請求の範囲】
【請求項１】
ハウジングと、
前記ハウジングに保持され、前記ハウジングの外側に配置された被実装部材に実装される端子と、
を備え、
前記端子は、
前記ハウジングに形成された空間に挿入される本体部と、
前記本体部から前記被実装部材の実装面に向けて延設された脚部と、
前記脚部に連設されて前記被実装部材に実装される実装部と、
を備え、
前記ハウジングに接続されて、前記脚部を保持する脚部保持部をさらに備えていることを特徴とするコネクタ。
【請求項２】
前記脚部が板状に形成されており、
前記本体部を前記空間に挿入するとともに前記実装部を前記被実装部材に実装した状態で、前記脚部の板厚方向が、前記本体部の前記空間への挿入方向および前記実装面の法線方向と交差する方向となっていることを特徴とする請求項１に記載のコネクタ。
【請求項３】
前記ハウジングは、前記被実装部材を受け入れる受入部をハウジング厚み方向の一方側の壁部に有しており、
前記脚部が前記本体部から前記ハウジング厚み方向に延設されていることを特徴とする請求項１または請求項項２に記載のコネクタ。
【請求項４】
前記脚部保持部が前記ハウジングに一体に形成されていることを特徴とする請求項１〜３のうちいずれか１項に記載のコネクタ。
【請求項５】
前記空間は、
前記ハウジングに形成された第１空間と、
前記ハウジングの前記第１空間よりも前記実装面から離れた位置に形成された第２空間と、
を備え、
前記端子は、
前記第１空間に挿入される第１本体部と、前記第１本体部から前記実装面に向けて延設された第１脚部と、前記第１脚部に連設されて前記被実装部材に実装される第１実装部と、を有する第１端子と、
前記第２空間に挿入される第２本体部と、前記第２本体部から前記実装面に向けて延設された第２脚部と、前記第２脚部に連設されて前記被実装部材に実装される第２実装部と、を有する第２端子と、
を備え、
前記第１脚部および前記第２脚部のうち少なくともいずれか一方の脚部が前記脚部保持部に保持されていることを特徴とする請求項１〜４のうちいずれか１項に記載のコネクタ。
【請求項６】
前記端子が前記ハウジングに保持されるとともに前記被実装部材に実装された状態で、前記ハウジングを前記実装面の法線方向に沿って視たときに、前記第１空間と前記第２空間とが重なり合っていることを特徴とする請求項５に記載のコネクタ。
【請求項７】
前記空間に前記本体部を挿入した状態で、前記ハウジングを前記本体部の前記空間への挿入方向に沿って視たときに、前記第１空間の第１挿入口が前記第２脚部によって２つの領域に分断されており、
前記第２脚部は、前記第１挿入口を挟んだ２箇所で前記脚部保持部に保持されていることを特徴とする請求項６に記載のコネクタ。
【請求項８】
前記本体部の前記空間への挿入方向の一方側に突出するように前記第１実装部が前記第１脚部に連設されており、
前記本体部の前記空間への挿入方向の他方側に突出するように前記第２実装部が前記第２脚部に連設されていることを特徴とする請求項５〜７のうちいずれか１項に記載のコネクタ。
【請求項９】
前記端子が前記ハウジングに保持されるとともに前記被実装部材に実装された状態で、前記ハウジングを前記実装面の法線方向に沿って視たときに、前記第１実装部および前記第２実装部のうちいずれか一方の実装部が前記ハウジングと重なり合うことを特徴とする請求項８に記載のコネクタ。
【請求項１０】
前記端子を複数備え、
複数の前記端子が前記ハウジングに保持された状態で前記実装部が千鳥状に配置されることを特徴とする請求項１〜９のうちいずれか１項に記載のコネクタ。
【発明の詳細な説明】
【技術分野】
【０００１】
本開示は、コネクタに関する。
【背景技術】
【０００２】
従来、コネクタとして、ハウジングと、ハウジング内に収容されて相手側コネクタの端子に導通接続する端子と、を備えるものが知られている（例えば、特許文献１参照）。
【０００３】
この特許文献１では、端子は、ハウジング内に収容される端子本体と、端子本体から延設された脚部と、を備えており、脚部の先端には、ケーブル（被実装部材）に実装される実装部が形成されている。そして、端子本体をハウジング内に収容した状態で、ハウジングから露出するように実装部を配置することで、コネクタとケーブル（被実装部材）とを容易に接続できるようにしている。
【先行技術文献】
【特許文献】
【０００４】
【特許文献１】特開２０１６−１１０９９４号公報
【発明の概要】
【発明が解決しようとする課題】
【０００５】
しかしながら、上記従来の技術では、端子のハウジングへの挿入時等に端子本体から延設された脚部が変形してしまうおそれがある。このように、端子の脚部が変形してしまうと、実装部の位置が変わってしまい、端子を被実装部材に実装させることができなくなってしまうおそれがある。
【０００６】
そこで、本開示は、より確実に端子を被実装部材に実装させることが可能なコネクタを得ることを目的とする。
【課題を解決するための手段】
【０００７】
本開示にかかるコネクタは、ハウジングと、前記ハウジングに保持され、前記ハウジングの外側に配置された被実装部材に実装される端子と、を備えている。また、前記端子は、前記ハウジングに形成された空間に挿入される本体部と、前記本体部から前記被実装部材の実装面に向けて延設された脚部と、前記脚部に連設されて前記被実装部材に実装される実装部と、を備えている。そして、前記ハウジングに接続されて、前記脚部を保持する脚部保持部をさらに備えている。
【発明の効果】
【０００８】
本開示によれば、より確実に端子を被実装部材に実装させることが可能なコネクタを得ることができる。
【図面の簡単な説明】
【０００９】
【図１】コネクタセットの一例を示す図であって、ケーブルに実装されたプラグコネクタと回路基板に実装されたレセプタクルコネクタとに分解して示す斜視図である。
【図２】コネクタセットの一例を示す図であって、ケーブルに実装されたプラグコネクタと回路基板に実装されたレセプタクルコネクタとを嵌合させた状態を示す斜視図である。
【図３】一例として示したコネクタセットのプラグコネクタ側の端子とレセプタクルコネクタ側の端子との接触状態を示す図であって、（ａ）は、プラグコネクタ側の第１端子とレセプタクルコネクタ側の第１端子との接触状態を示す斜視図、（ｂ）は、プラグコネクタ側の第２端子とレセプタクルコネクタ側の第２端子との接触状態を示す斜視図である。
【図４】コネクタセットの他の例を示す図であって、ケーブルに実装されたプラグコネクタと電線に接続されたレセプタクルコネクタとに分解して示す斜視図である。
【図５】コネクタセットの他の例を示す図であって、ケーブルに実装されたプラグコネクタと電線に接続されたレセプタクルコネクタとを嵌合させた状態を示す斜視図である。
【図６】他の例として示したコネクタセットのプラグコネクタ側の端子とレセプタクルコネクタ側の端子との接触状態を示す図であって、（ａ）は、プラグコネクタ側の第１端子とレセプタクルコネクタ側の端子との接触状態を示す斜視図、（ｂ）は、プラグコネクタ側の第２端子とレセプタクルコネクタ側の端子との接触状態を示す斜視図である。
【図７】一例および他の例として示したコネクタセットが備えるプラグコネクタがケーブルに実装される前の状態を示す斜視図である。
【図８】一例および他の例として示したコネクタセットが備えるプラグコネクタをケーブルに実装する様子を説明する図であって、（ａ）は、実装前の状態を裏側から視た斜視図、（ｂ）は、実装後の状態を裏側から視た斜視図である。
【図９】一例および他の例として示したコネクタセットが備えるプラグコネクタを分解して示す斜視図である。
【図１０】プラグコネクタが備えるプラグハウジングを示す図であって、（ａ）は、平面図、（ｂ）は、裏面図である。
【図１１】プラグコネクタが備えるプラグハウジングを示す図であって、（ａ）は、正面図、（ｂ）は、背面図、（ｃ）は、側面図、（ｄ）は、側断面図である。
【図１２】プラグコネクタが備える第１端子を示す図であって、（ａ）は、斜視図、（ｂ）は、平面図、（ｃ）は、側面図、（ｄ）は、裏面図、（ｅ）は、正面図、（ｆ）は、背面図である。
【図１３】プラグコネクタが備える第２端子を示す図であって、（ａ）は、斜視図、（ｂ）は、平面図、（ｃ）は、側面図、（ｄ）は、裏面図、（ｅ）は、正面図、（ｆ）は、背面図である。
【図１４】プラグコネクタとケーブルとの実装状態を示す図であって、（ａ）は、第１端子をケーブルの導体部に実装した状態を示す側断面図、（ｂ）は、第２端子をケーブルの導体部に実装した状態を示す側断面図である。
【図１５】プラグコネクタの脚部保持部を拡大して示す斜視図である。
【図１６】プラグコネクタの第１空間が第２脚部によって分断される状態を説明する図である。
【図１７】プラグコネクタの端子用ガイド溝を拡大して示す斜視図である。
【図１８】一例として示したコネクタセットが備えるレセプタクルコネクタが回路基板に実装される前の状態を示す斜視図である。
【図１９】一例として示したコネクタセットが備えるレセプタクルコネクタを分解して示す斜視図である。
【図２０】一例として示したレセプタクルコネクタが備えるレセプタクルハウジングを示す図であって、（ａ）は、平面図、（ｂ）は、裏面図である。
【図２１】一例として示したレセプタクルコネクタが備えるレセプタクルハウジングを示す図であって、（ａ）は、正面図、（ｂ）は、背面図、（ｃ）は、側面図、（ｄ）は、側断面図である。
【図２２】一例として示したレセプタクルコネクタが備える第１端子を示す図であって、（ａ）は、斜視図、（ｂ）は、平面図、（ｃ）は、側面図、（ｄ）は、裏面図、（ｅ）は、正面図、（ｆ）は、背面図である。
【図２３】一例として示したレセプタクルコネクタが備える第２端子を示す図であって、（ａ）は、斜視図、（ｂ）は、平面図、（ｃ）は、側面図、（ｄ）は、裏面図、（ｅ）は、正面図、（ｆ）は、背面図である。
【図２４】一例として示したレセプタクルコネクタと回路基板との実装状態を示す図であって、（ａ）は、第１端子を回路基板の導体部に実装した状態を示す側断面図、（ｂ）は、第２端子を回路基板の導体部に実装した状態を示す側断面図である。
【図２５】他の例として示したコネクタセットが備えるレセプタクルコネクタおよび電線を分解して示す斜視図である。
【図２６】他の例として示したレセプタクルコネクタが備えるレセプタクルハウジングを示す図であって、（ａ）は、前側から視た斜視図、（ｂ）は、後側から視た斜視図である。
【図２７】他の例として示したレセプタクルコネクタが備えるレセプタクルハウジングを示す図であって、（ａ）は、平面図、（ｂ）は、裏面図である。
【図２８】他の例として示したレセプタクルコネクタが備えるレセプタクルハウジングを示す図であって、（ａ）は、正面図、（ｂ）は、背面図、（ｃ）は、側面図、（ｄ）は、側断面図である。
【図２９】他の例として示したレセプタクルコネクタが備えるリテーナを示す図であって、（ａ）は、前側から視た斜視図、（ｂ）は、後側から視た斜視図である。
【図３０】他の例として示したレセプタクルコネクタが備えるリテーナを示す図であって、（ａ）は、平面図、（ｂ）は、裏面図、（ｃ）は、正面図、（ｄ）は、背面図、（ｅ）は、側面図、（ｆ）は、側断面図である。
【図３１】他の例として示したレセプタクルコネクタが備える端子を模式的に示す図であって、（ａ）は、表側から視た斜視図、（ｂ）は、裏側から視た斜視図である。
【図３２】他の例として示したレセプタクルコネクタが備える端子を示す図であって、（ａ）は、平面図、（ｂ）は、側面図、（ｃ）は、裏面図、（ｄ）は、正面図、（ｅ）は、背面図である。
【図３３】他の例として示したレセプタクルコネクタのレセプタクルハウジングにリテーナを一部突出するように取り付けた状態を示す斜視図である。
【図３４】図３３の状態で端子をレセプタクルハウジングに挿入した状態を示す斜視図である。
【図３５】図３４に示す状態におけるリテーナと端子との関係を示す斜視図である。
【図３６】リテーナをレセプタクルハウジングに収容した状態におけるリテーナと端子との関係を示す斜視図である。
【図３７】図３４に示す状態におけるリテーナと上側の端子との関係を示す側断面図である。
【図３８】リテーナをレセプタクルハウジングに収容した状態におけるリテーナと上側の端子との関係を示す側断面図である。
【図３９】図３４に示す状態におけるリテーナと下側の端子との関係を示す側断面図である。
【図４０】リテーナをレセプタクルハウジングに収容した状態におけるリテーナと下側の端子との関係を示す側断面図である。
【発明を実施するための形態】
【００１０】
以下、本開示の実施形態について図面を参照しながら詳細に説明する。以下では、ケーブル１Ａに実装されるプラグコネクタ１、回路基板２Ａに実装されるレセプタクルコネクタ２および電線３Ａが接続されるレセプタクルコネクタ３を例示する。
【００１１】
なお、プラグコネクタ１およびレセプタクルコネクタ２については、被実装部材に実装した状態において被実装部材の実装面と直交する方向（実装面の法線方向）をコネクタの上下方向（Ｚ方向）として説明する。また、各コネクタのハウジングに収容された端子が並設される方向を幅方向（Ｙ方向）とし、各コネクタのハウジング内への端子の挿入方向を前後方向（Ｘ方向）として説明する。
【００１２】
さらに、被実装部材に実装されたコネクタを実装面の上側に位置させた状態における上方を、上下方向の上方と規定し、コネクタ同士を嵌合させる際に互いに相手側コネクタと対向する側を前後方向の前方と規定する。
【００１３】
また、レセプタクルコネクタ３については、ハウジングに収容された端子が並設される方向を幅方向（Ｙ方向）とし、ハウジング内への端子の挿入方向を前後方向（Ｘ方向）として説明する。そして、幅方向（Ｙ方向）および前後方向（Ｘ方向）と交差する方向を上下方向（Ｚ方向）として説明する。
【００１４】
そして、ハウジングのリテーナが挿入される側を上下方向の上方と規定し、コネクタ同士を嵌合させる際に互いに相手側コネクタと対向する側を前後方向の前方と規定する。
【００１５】
［コネクタセットの構成例］
本実施形態にかかるプラグコネクタ（コネクタ）１は、図１〜３に示すコネクタセットＣ１や図４〜６に示すコネクタセットＣ２などで用いられるものである。
【００１６】
コネクタセットＣ１は、図１，図２に示すように、上述したプラグコネクタ１が嵌合するレセプタクルコネクタ２を備えており、コネクタセットＣ２は、図４，図５に示すように、上述したプラグコネクタ１が嵌合するレセプタクルコネクタ３を備えている。
【００１７】
本実施形態では、プラグコネクタ１は、ＦＰＣやＦＦＣ等のケーブル（被接続部材）１Ａに実装可能に形成されている。すなわち、プラグコネクタ１が備える端子１３，１４をケーブル１Ａの導体部１５１ｂＡに電気的に接続する（実装する）ことで、プラグコネクタ１がケーブル１Ａに実装されるようになっている。
【００１８】
一方、レセプタクルコネクタ２は、回路基板（被実装部材）２Ａに実装可能に形成されている。すなわち、レセプタクルコネクタ２が備える端子２３，２４を回路基板２Ａの導体部２ｂＡに電気的に接続する（実装する）ことで、レセプタクルコネクタ２が回路基板２Ａに実装されるようになっている。
【００１９】
また、レセプタクルコネクタ３は、複数の中継端子３３を備えており、各中継端子３３に電線３Ａの導体部３ｂＡがそれぞれ電気的に接続されている。本実施形態では、電線３Ａの被覆部３ａＡから露出させた導体部３ｂＡに中継端子３３を電気的に接続させることで、レセプタクルコネクタ３が複数の電線３Ａに電気的に接続されるようになっている。
【００２０】
このように、コネクタセットＣ１は、プラグコネクタ１をレセプタクルコネクタ２に嵌合させて、端子１３，１４と端子２３，２４とを導通接続させることで、ケーブル１Ａと回路基板２Ａとを電気的に接続させるものである（図２，図３参照）。
【００２１】
一方、コネクタセットＣ２は、プラグコネクタ１をレセプタクルコネクタ３に嵌合させて、端子１３，１４と端子３３とを導通接続させることで、ケーブル１Ａと電線３Ａとを電気的に接続させるものである（図５，図６参照）。
【００２２】
［ケーブル１Ａの構成例］
次に、プラグコネクタ１が実装されるケーブル１Ａの構成の一例について、図７，図８に基づき説明する。
【００２３】
ケーブル１Ａは、表面（前面：一面）１ａＡおよび裏面（後面：他面）１ｂＡを持つシート状（平板状）をしており、表面１ａＡが、プラグコネクタ１が実装される実装面となっている。さらに、ケーブル１Ａは可撓性を有しており、ケーブル１Ａをケーブル厚さ方向に曲げる（湾曲させる）ことができるようになっている。
【００２４】
このケーブル１Ａは、プラグコネクタ１との連結に使用される連結領域１１Ａと、他の回路との配線のために導体層１５ｂＡが延伸する延伸領域１２Ａと、を備えている。
【００２５】
本実施形態では、ケーブル１Ａは、延伸領域１２Ａの一端側に連結領域１１Ａが位置するように形成されている。そして、連結領域１１Ａを連結したプラグコネクタ１をレセプタクルコネクタ（レセプタクルコネクタ２やレセプタクルコネクタ３）に嵌合させた状態において、延伸領域１２Ａがレセプタクルコネクタの反対側に位置するようになっている。
【００２６】
また、ケーブル１Ａは、多層構造をしており、支持層１５ａＡと、支持層１５ａＡに支持される導体層１５ｂＡと、を備えている。支持層１５ａＡは、複数の絶縁体膜からなり、導体層１５ｂＡを被覆するものである。一方、導体層１５ｂＡは、支持層１５ａＡを構成する絶縁体膜上に印刷された導体膜であり、後述する複数の端子１３，１４にそれぞれ対応する複数の配線パターンである。
【００２７】
また、連結領域１１Ａの上面には、支持体１５ａＡから露出された導体層１５ｂＡである複数の導体部１５１ｂＡが形成されている。複数の導体部１５１ｂＡは、前後方向に２列形成されており、各列の導体部１５１ｂＡが幅方向（Ｙ方向）に所定のピッチで並ぶように形成されている。さらに、本実施形態では、複数の導体部１５１ｂＡは、平面視（実装面１Ａａに沿って視た状態）で千鳥状となるように形成されている。
【００２８】
このような構造は、例えば、支持層１５ａＡ上に複数の導体膜を印刷することで導体層１５ｂＡを形成し、この導体層１５ｂＡ上を他の支持層１５ａＡで覆うことで形成することができる。このとき、導電層１５ｂＡの先端が覆われないように他の支持層１５ａＡを設けるようにすれば、導電層１５ｂＡの先端が一側（上下方向の上方）に露出したケーブル１Ａが形成される。
【００２９】
なお、ケーブル１Ａの形成方法は上記の方法に限られるものではなく、様々な方法で形成することができる。
【００３０】
また、連結領域１１Ａの上面には、プラグコネクタ１の後述する保持金具１５が固定される固定部１５ｃＡが形成されている。本実施形態では、ケーブル１Ａは、幅方向（Ｙ方向）に並設された複数の導体層１５ｂＡよりも幅方向（Ｙ方向）の両側に延設された幅広部１６Ａを備えており、各幅広部１６Ａの先端側（前後方向の前側）に一対の固定部１５ｃＡが形成されている。また、各幅広部１６Ａの前後方向の後側には、プラグコネクタ１のハウジング１０が固定される固定部１５ｄＡが形成されている。この固定部１５ｃＡや固定部１５ｄＡは、例えば、導体層１５ｂＡの印刷工程において導体層１５ｂＡと同様に形成することができる。
【００３１】
また、本実施形態では、ケーブル１Ａの連結領域１１Ａには、前後方向（Ｘ方向）に細長く、前方に開口するスリット１１ａＡが形成されている。そして、連結領域１１Ａにおけるスリット１１ａＡの幅方向（Ｙ方向）の両側には、ケーブル厚さ方向（上下方向；Ｚ方向）に貫通する貫通孔１１ｂＡが形成されている。
【００３２】
さらに、本実施形態では、ケーブル１Ａが補強板１４Ａを備えている。この補強板１４Ａは、ガラスエポキシ樹脂やステンレス等を用いて形成されており、ケーブル１Ａの連結領域１１Ａをプラグコネクタ１との間に挟み込むことにより、ケーブル１Ａの連結領域１１Ａを補強するものである。
【００３３】
本実施形態では、補強板１４Ａは、ケーブル１Ａの連結領域１１Ａの形状に対応した形状をしている。すなわち、補強板１４Ａは、平面視（実装面１Ａａに沿って視た状態）における輪郭形状が、連結領域１１Ａの輪郭形状と略同一の形状をしている。したがって、補強板１４Ａには、前後方向（Ｘ方向）に細長く、前方に開口するスリット１４ａＡと、ケーブル厚さ方向（上下方向；Ｚ方向）に貫通する貫通孔１４ｂＡと、が形成されている。そして、補強板１４Ａは、スリット１１ａＡとスリット１４ａＡとを連通させるとともに、貫通孔１１ｂＡと貫通孔１４ｂＡとを連通させた状態で、接着剤等により連結領域１１Ａの裏面側に取り付けられている。
【００３４】
このとき、平面視（実装面１Ａａに沿って視た状態）で、導体部１５１ｂＡの全体が補強板１４Ａと重なり合うようにするのが好ましい。こうすれば、導体部１５１ｂＡの全体が補強板１４Ａにより支持されるため、導体部１５１ｂＡが上下方向（Ｚ方向）に折れ曲がったり、幅方向（Ｙ方向）に撓んだりしてしまうのを抑制することができる。
【００３５】
［プラグコネクタ１の構成例］
次に、プラグコネクタ１の構成の一例について、図９〜図１７に基づき説明する。
【００３６】
プラグコネクタ１は、図９に示すように、プラグハウジング（ハウジング）１０と、プラグハウジング１０に保持されるプラグ端子（端子）１３，１４と、プラグハウジング１０に保持される保持金具１５と、を備えている。
【００３７】
そして、プラグハウジング１０に保持されたプラグ端子１３，１４が、プラグハウジング１０の外側に配置されたケーブル１Ａの導体部１５１ｂＡに実装されることで、プラグコネクタ１が被実装部材としてのケーブル１Ａに実装されるようになっている。なお、プラグ端子１３，１４は、半田付け等により導体部１５１ｂＡに実装されている。また、保持金具１５は、プラグハウジング１０に保持された状態で、半田付け等によりケーブル１Ａの固定部１５ｃＡに固定されることで、プラグハウジング１０をケーブル１Ａに固定するためのものである。
【００３８】
プラグハウジング１０は、剛性を有するハウジング本体１１を備えており、このプラグハウジング１０は、例えば、絶縁性の樹脂材料を用いて形成することができる。
【００３９】
また、ハウジング本体１１の上部には、プラグハウジング１０とレセプタクルコネクタ（レセプタクルコネクタ２やレセプタクルコネクタ３）のハウジングとを嵌合状態で保持したり、嵌合状態を解除したりするロック部１２が形成されている。
【００４０】
このように、本実施形態では、プラグハウジング１０は、ハウジング本体１１と、ハウジング本体１１に形成されたロック部１２と、を備えている。
【００４１】
ハウジング本体１１は、天壁１１１と、底壁１１２と、天壁１１１および底壁１１２の幅方向（Ｙ方向）の両端をそれぞれ連設する一対の側壁１１３と、天壁１１１、底壁１１２および側壁１１３，１１３の前端に連設された前壁１１４と、を備えている。
【００４２】
そして、天壁１１１の上部の幅方向中央部にロック部１２が形成されている。具体的には、ロック部１２は、天壁１１１の前端に連設されて後方に延在するレバー部１２１を備えている。このレバー部１２１は、後側が天壁１１１（ハウジング本体１１）に対して上下方向に相対移動できるようになっている。そして、レバー部１２１の後端には、レバー部１２１を操作する操作部１２１ａが形成されており、レバー部１２１の前後方向の中央部には、レセプタクルコネクタに形成された被係合部に係合する係合突部１２１ｂが形成されている。
【００４３】
本実施形態では、プラグハウジング１０とレセプタクルコネクタのハウジングとを嵌合させた際に、係合突部１２１ｂが被係合部に係合して、各コネクタのハウジング同士をロック（嵌合状態で維持）できるようにしている。そして、レバー部１２１の操作部１２１ａを押し下げて、レバー部１２１を下方に移動させることで、係合突部１２１ｂも下方に移動し、被係合部との係合が解除されて、各コネクタのハウジング同士の嵌合を解除できるようにしている。
【００４４】
さらに、操作部１２１ａの下側における幅方向両側には、幅方向の外側に突出する被係止部１２１ｃが形成されている。この被係止部１２１ｃは、天壁１１１に形成された規制突部１１１ｄに係止することで、レバー部１２１の後端（操作部１２１ａ）が上方に行き過ぎてしまうのを抑制するものである。本実施形態では、天壁１１１における嵌合操作部１２の幅方向両側に、プラグハウジング１０とレセプタクルコネクタのハウジングとの嵌合をガイドするガイド壁部１１１ａが上方に延在するように形成されている。
【００４５】
そして、ガイド壁部１１１ａの後部には、平面視で先端が被係止部１２１ｃと重なり合うように幅方向の内側に突出する規制突部１１１ｄが形成されている。こうすることで、操作部１２１ａを上方に所定量持ち上げると、被係止部１２１ｃが規制突部１１１ｄの先端に係止され、レバー部１２１の上方への移動が規制されるようにしている。
【００４６】
なお、天壁１１１には、プラグハウジング１０とレセプタクルコネクタのハウジングとの嵌合をガイドするガイド溝１１１ｂも形成されている。
【００４７】
また、底壁１１２の下側（裏面側）の前端には、幅方向に延在する突部１１２ａと、突部１１２ａの幅方向中央部から前後方向の後方に向けて延在する突部１１２ｂとが下方に向けて突出するように形成されている。この突部１１２ａおよび突部１１２ｂは、突出量が、ケーブル１Ａの厚さと補強板１４Ａの厚さの和以上となるように底壁１１２に形成されている。
【００４８】
このような突部１１２ａ，１１２ｂを底壁１１２に形成することで、底壁１１２の下面に凹部１１２ｃが形成されるようにしている。そして、プラグコネクタ１をケーブル１Ａに実装させた際に、補強板１４Ａが取り付けられた連結領域１１Ａがこの凹部１１２ｃに収容されるようにしている（図８（ｂ）参照）。
【００４９】
このように、本実施形態では、プラグハウジング１０は、ハウジング厚み方向（上下方向：Ｚ方向）に対向する一対の壁部（天壁１１１および底壁１１２）を備えている。そして、一対の壁部（天壁１１１および底壁１１２）のうちの一方側の壁部である底壁１１２に、ケーブル１Ａの連結領域１１Ａが収容される凹部１１２ｃが形成されている。すなわち、プラグハウジング１０は、ケーブル（被実装部材）１Ａを受け入れる受入部（凹部１１２ｂ）を、ハウジング厚み方向（上下方向）の一方側の壁部（底壁１１２ｂ）に有している。
【００５０】
なお、突部１１２ｂは、スリット１１ａＡおよびスリット１４ａＡに対応するように形成されており、突部１１２ｂを、スリット１１ａＡおよびスリット１４ａＡに挿入することで、ケーブル１Ａの幅方向の位置ずれが抑制されるようにしている。また、突部１１２ａによって、ケーブル１Ａの前方への位置ずれが抑制されるようにしている。
【００５１】
また、ハウジング本体１１は、一対の側壁１１３および前壁１１４に連設されて、天壁１１１、底壁１１２、側壁１１３，１１３および前壁１１４で画成された空間を上下に仕切る仕切り壁１１５を備えている。
【００５２】
さらに、ハウジング本体１１は、天壁１１１、仕切り壁１１５および前壁１１４に連設された上側隔壁１１６を複数備えており、この上側隔壁１１６によって、仕切り壁１１５で仕切られた上側の空間が複数の空間に仕切られている。また、ハウジング本体１１は、底壁１１２、仕切り壁１１５および前壁１１４に連設された下側隔壁１１７を複数備えており、この下側隔壁１１７によって、仕切り壁１１５で仕切られた下側の空間が複数の空間に仕切られている。
【００５３】
また、前壁１１４には、仕切り壁１１５、上側隔壁１１６および下側隔壁１１７により仕切られた複数の空間と連通するように貫通孔１４ａが形成されている。このように、本実施形態では、ハウジング本体１１には、前後方向に貫通する複数の空間が形成されている。そして、前後方向に貫通する空間内に、プラグ端子１３，１４がそれぞれ圧入（挿入）されるようになっている。
【００５４】
本実施形態では、ハウジング本体１１に、幅方向（Ｙ方向）に複数並設された空間が上下方向（Ｚ方向）に２段形成されるようにしている。さらに、ハウジング本体１１を前後方向の後方から視たときに、複数の空間が千鳥状に形成されるようにしている。こうすることで、プラグコネクタ１の幅方向の小型化を図っている。
【００５５】
具体的には、ハウジング本体１１の下側（実装面１ａＡ側）に、底壁１１２、仕切り壁１１５および下側隔壁１１７によって画成された空間が幅方向（Ｙ方向）に複数並設されている。そして、このハウジング本体１１の下側（実装面１ａＡ側）に形成された空間が、プラグ端子１３，１４のうち後述する第１プラグ端子１３が圧入（挿入）される第１空間Ｓ１となっている。
【００５６】
一方、ハウジング本体１１の上側（第１空間Ｓ１よりも実装面１ａＡから離れた位置）には、天壁１１１、仕切り壁１１５および上側隔壁１１６によって画成された空間が幅方向（Ｙ方向）に複数並設されている。そして、このハウジング本体１１の上側に形成された空間が、プラグ端子１３，１４のうち後述する第２プラグ端子１４が圧入（挿入）される第２空間Ｓ２となっている。
【００５７】
さらに、本実施形態では、上側隔壁１１６と下側隔壁１１７とが幅方向にずれた位置に形成されている。すなわち、第１空間Ｓ１と第２空間Ｓ２とが、平面視で一部が重なり合うように形成されている。言い換えると、プラグ端子１３，１４がハウジング１０に保持されるとともにケーブル１Ａに実装された状態で、ハウジング１０を実装面１ａＡの法線方向（上下方向）に沿って視たときに、第１空間Ｓ１と第２空間Ｓ２とが重なり合うよういしている。
【００５８】
そして、第１プラグ端子１３は、第１空間Ｓ１の後端側の開口から前方に向けて圧入（挿入）されるようになっており、この第１空間Ｓ１の後端側の開口が挿入口Ｓ１ａとなっている。また、第１空間Ｓ１の前端側の開口は、第１プラグ端子１３が抜け落ちないように、挿入口Ｓ１ａよりも小さくなっている。すなわち、挿入口Ｓ１ａから圧入（挿入）された第１プラグ端子１３の前方への移動が、前壁１１４によって規制されるようにしている。なお、第１空間Ｓ１の前端側の開口は、後述するレセプタクルコネクタのレセプタクル端子の接点部を第１空間Ｓ１内に導入する導入口Ｓ１ｂとなっている。この導入口Ｓ１ｂの周縁部は、レセプタクル端子の接点部が導入されやすいようにテーパ状に形成されている。
【００５９】
同様に、第２プラグ端子１４は、第２空間Ｓ２の後端側の開口から前方に向けて圧入（挿入）されるようになっており、この第２空間Ｓ２の後端側の開口が挿入口Ｓ２ａとなっている。また、第２空間Ｓ２の前端側の開口は、第２プラグ端子１４が抜け落ちないように、挿入口Ｓ２ａよりも小さくなっている。すなわち、挿入口Ｓ２ａから圧入（挿入）された第２プラグ端子１４の前方への移動が、前壁１１４によって規制されるようにしている。なお、第２空間Ｓ２の前端側の開口も、後述するレセプタクルコネクタのレセプタクル端子の接点部を第２空間Ｓ２内に導入する導入口Ｓ２ｂとなっている。この導入口Ｓ２ｂの周縁部も、レセプタクル端子の接点部が導入されやすいようにテーパ状に形成されている。
【００６０】
また、天壁１１１の下部には、後方および下方に開口する溝部１１１ｃが第２空間Ｓ２に連通するように形成されている。この溝部１１１ｃは、後述する上側プラグ端子１４の側壁１４４の上端が挿入されて、上側プラグ端子１４の第２空間Ｓ２への圧入（挿入）をガイドするものである。
【００６１】
本実施形態では、図１７に示すように、溝部１１１ｃは、第２空間Ｓ２の幅方向両側に形成されており、各溝部１１１ｃが、挿入口Ｓ２ａから前壁１１４まで延在するように形成されている。
【００６２】
すなわち、溝部１１１ｃは、挿入方向（Ｘ方向）の長さが、側壁１３４の上端の溝部１１１ｃへの挿入が開始されてから完了するまでの間に上側プラグ端子１４が移動する距離以上となるように形成されている。したがって、側壁１３４の上端における最初に溝部１１１ｃに挿入される部位は、溝部１１１ｃへの挿入が開始されてから上側プラグ端子１４の第２空間Ｓ２への圧入（挿入）が完了するまでの間、溝部１１１ｃ内に存在することとなる。
【００６３】
なお、溝部１１１ｃは、溝幅（Ｙ方向の長さ）が側壁１３４の板厚よりも若干広くなるように形成されている。
【００６４】
同様に、仕切り壁１１５の下部には、後方および下方に開口する溝部１１５ａが第１空間Ｓ１に連通するように形成されている。この溝部１１５ａは、後述する下側プラグ端子１３の側壁１３４の上端が挿入されて、下側プラグ端子１３の第１空間Ｓ１への圧入（挿入）をガイドするものである。
【００６５】
本実施形態では、図１７に示すように、溝部１１５ａも、第１空間Ｓ１の幅方向両側に形成されており、各溝部１１５ａが、挿入口Ｓ１ａから前壁１１４まで延在するように形成されている。
【００６６】
すなわち、溝部１１５ａは、挿入方向（Ｘ方向）の長さが、側壁１３４の上端の溝部１１５ａへの挿入が開始されてから完了するまでの間にプラグ端子１３が移動する距離以上となるように形成されている。したがって、側壁１３４の上端における最初に溝部１１５ａに挿入される部位は、溝部１１５ａへの挿入が開始されてから下側プラグ端子１３の第１空間Ｓ１への圧入（挿入）が完了するまでの間、溝部１１５ａ内に存在することとなる。
【００６７】
なお、溝部１１５ａは、溝幅（Ｙ方向の長さ）が側壁１３４の板厚よりも若干広くなるように形成されている。
【００６８】
さらに、本実施形態では、仕切り壁１１５の後端には、上下方向に延在して両端がそれぞれ第１空間Ｓ１および第２空間Ｓ２に開口する溝部１１５ｂが形成されている。具体的には、溝部１１５ｂは、１つの第２空間Ｓ２に連通するように形成された２つの溝部１１１ｃのうちの一方（図１６，図１７の右側）の溝部１１１ｃと上下方向に対向するように形成されている。
【００６９】
すなわち、図１６に示すように、ハウジング１０を前後方向の後方から視たときに、溝部１１５ｂと一方（図１６の右側）の溝部１１１ｃとが、上下方向に一直線上に並ぶように配置されている。この溝部１１５ｂは、圧入（挿入）完了状態における第２プラグ端子１４の脚部１４１の上部が挿入されるものである。
【００７０】
また、底壁１１２の後端には、上下方向に延在して上端が第１空間Ｓ１に開口する溝部１１２ｄが形成されている。具体的には、ハウジング１０を前後方向の後方から視たときに、溝部１１２ｄ、一方（図１６の右側）の溝部１１１ｃおよび溝部１１５ｂが、上下方向に一直線上に並ぶように配置されている。この溝部１１２ｄは、圧入（挿入）完了状態における第２プラグ端子１４の脚部１４１の下部が挿入されるものである。
【００７１】
さらに、底壁１１２の後端には、上下方向に延在して両端がそれぞれ第１空間Ｓ１およびハウジング１０の下方に開口する溝部１１２ｅが形成されている。具体的には、溝部１１２ｅは、１つの第１空間Ｓ１に連通するように形成された２つの溝部１１５ａのうちの一方（図１６，図１７の右側）の溝部１１５ａと上下方向に対向するように形成されている。
【００７２】
すなわち、図１６に示すように、ハウジング１０を前後方向の後方から視たときに、溝部１１２ｅと一方（図１６の右側）の溝部１１５ａとが、上下方向に一直線上に並ぶように配置されている。この溝部１１２ｅは、圧入（挿入）完了状態における第１プラグ端子１３の脚部１３１が挿入されるものである。
【００７３】
また、底壁１１２の後端部には、下方および後方に開口して前後方向に延在する凹部１１２ｆが形成されている。この凹部１１２ｆは、圧入（挿入）完了状態における第１プラグ端子１３の実装片（実装部）１３２が収容されるものである。
【００７４】
また、一対の側壁１１３，１１３には、後方に延在する延設部１１３ａ，１１３ａがそれぞれ形成されており、延設部１１３ａ，１１３ａが対向する領域が、端子１３，１４の実装片（実装部）１３２，１４２が収容される凹部１１３ｂとなっている。
【００７５】
このように、本実施形態では、延設部１１３ａ，１１３ａの後端よりも前側で、端子１３，１４の実装片（実装部）１３２，１４２がケーブル１Ａの導体部１５１ｂＡに実装されるようにしている。さらに、本実施形態では、この延設部１１３ａ，１１３ａの先端部（後端部）がケーブル１Ａの固定部１５ｄＡに固定されるようにしている。このとき、延設部１１３ａ，１１３ａと補強板１４Ａとでケーブル１Ａの連結領域１１Ａが挟持されるようにしている。
【００７６】
こうすれば、ケーブル１Ａがあおられて補強板１４Ａから離れる方向に移動した際に、ケーブル１Ａと補強板１４Ａとの接着が剥がれてしまうのをより確実に抑制することができる。さらに、延設部１１３ａ，１１３ａの先端（後端）よりも前側に端子１３，１４の実装片（実装部）１３２，１４２が位置するようにしているため、ケーブル１Ａのあおりによって端子１３，１４の脚部１３１，１４１や実装片１３２，１４２が変形してしまうのを抑制することができる。すなわち、端子１３，１４とケーブル１Ａとの実装部分をケーブル１Ａのあおりから保護することができる。
【００７７】
また、一対の側壁１１３，１１３の前端部には、保持金具１５が保持される保持金具取付部１１３ｃ，１１３ｃがそれぞれ形成されている。
【００７８】
本実施形態では、保持金具取付部１１３ｃは、上下方向および幅方向の外方に開口する凹部１１３ｄと、凹部１１３ｄの幅方向内側に連設されて、保持金具１５の本体部１５１の前後方向の両端が挿入されるスリット１１３ｅ，１１３ｅと、備えている。そして、保持金具１５をプラグハウジング１０に保持した状態で、本体部１５１の下端に連設された固定片１５２をケーブル１Ａの固定部１５ｃＡに固定することで、プラグハウジング１０をケーブル１Ａに固定させている。
【００７９】
また、本実施形態では、プラグ端子は、プラグハウジング１０に形成された空間に挿入される本体部と、本体部からケーブル１Ａの実装面１ａＡに向けて延設された脚部と、脚部に連設されてケーブル１Ａに実装される実装部と、を備えている。
【００８０】
具体的には、プラグ端子は、ハウジング本体１１の下側（実装面１ａＡ側）に形成された第１空間Ｓ１に圧入（挿入）される第１プラグ端子１３を備えている。さらに、プラグ端子は、ハウジング本体１１の上側（第１空間Ｓ１よりも実装面１ａＡから離れた位置）に形成された第２空間Ｓ２に圧入（挿入）される第２プラグ端子１４を備えている。
【００８１】
本実施形態では、第１プラグ端子１３は、導電性を有しており、プラグハウジング１０の幅方向（Ｙ方向）に複数並設されている。この第１プラグ端子１３は、図１２に示すように、１枚の帯板状の金属部材を板厚方向に曲げた形状をしており、挿入方向（前後方向；Ｘ方向）に沿って視た状態で略Ｕ字状をしている（図１２（ｅ），（ｆ）参照）。このような第１プラグ端子１３は、例えば、帯板状の金属部材に曲げ加工を施すことで形成することができる。
【００８２】
また、第１プラグ端子１３は、第１空間Ｓ１に圧入（挿入）される第１本体部１３０を備えている。さらに、第１プラグ端子１３は、第１本体部１３０から実装面１ａＡに向けて延設された第１脚部１３１と、第１脚部１３１に連設されてケーブル１Ａに実装される第１実装片（第１実装部）１３２と、を備えている。
【００８３】
第１本体部１３０は、底壁１３３と、底壁１３３の幅方向（Ｙ方向）両端部に連設された側壁１３４と、を備えている。
【００８４】
底壁１３３は、側壁１３４の下端が連設された底壁本体１３５と、底壁本体１３５の前端に連設されて前方に突出する接点保護部１３６と、を備えている。この接点保護部１３６は、第１本体部１３０を第１空間Ｓ１に圧入（挿入）する際に、第１プラグ端子１３の接点部１３０ａがハウジング本体１１に接触してしまうのを抑制するものである。
【００８５】
また、底壁本体１３５および接点保護部１３６には、幅方向（Ｙ方向）両端から外方に向けて突出する規制片１３５ａ，１３６ａがそれぞれ形成されている。そして、この規制片１３５ａ，１３６ａによって、第１本体部１３０を第１空間Ｓ１に圧入（挿入）する際に、第１本体部１３０が斜めに圧入（挿入）されてしまうのが抑制されるようにしている。
【００８６】
側壁１３４は、下端が底壁本体１３５に連設された側壁本体１３７と、側壁本体１３７の前端に弾性変形可能に連設され、レセプタクルコネクタの接点部に接触する接触片１３８と、を備えている。
【００８７】
側壁本体１３７の上端には、規制突起１３７ａが形成されており、この規制突起１３７ａによって、第１本体部１３０を第１空間Ｓ１に圧入（挿入）する際に、第１本体部１３０が浮き上がってしまうのが抑制されるようにしている。
【００８８】
また、接触片１３８は、幅方向内側に屈曲するように側壁本体１３７の前端に連設された内側屈曲片１３８ａと、幅方向内側に屈曲するように内側屈曲片１３８ａの前端に連設された外側屈曲片１３８ｂと、を備えている。
【００８９】
本実施形態では、この接触片１３８は、一対の側壁本体１３７，１３７のそれぞれに連設されており、平面視で略線対称となるように形成されている。すなわち、一対の接触片１３８，１３８は、前方に向かうにつれて互いに近づく方向に屈曲した形状の内側屈曲片１３８ａ，１３８ａと、前方に向かうにつれて互いに離れる方向に屈曲した形状の外側屈曲片１３８ｂ，１３８ｂと、を備えている。
【００９０】
そして、一対の接触片１３８，１３８が最も近づいた部位（内側屈曲片１３８ａと外側屈曲片１３８ｂとの連設部）で、レセプタクルコネクタの接点部を挟持するようにしている（図３（ａ）および図６（ｂ）参照）。このように、本実施形態では、一対の接触片１３８，１３８を、第１プラグ端子１３の接点部１３０ａとして機能させている。そして、一対の外側屈曲片１３８ｂを、レセプタクルコネクタの接点部をよりスムーズに導入するためのガイド部として機能させている。
【００９１】
さらに、本実施形態では、一対の側壁本体１３７，１３７のうちの一方の側壁本体１３７の後端に、後方に突出する延設壁１３９が連設されており、第１本体部１３０は、片側が後方に突出した形状をしている。
【００９２】
この延設壁１３９の上端には、圧入突起１３９ａが形成されており、この圧入突起１３９ａをハウジング本体１１に食い込ませることで、第１本体部１３０が第１空間Ｓ１に圧入されている。
【００９３】
なお、本実施形態では、第１プラグ端子１３の側壁１３４の上端が挿入されて、第１プラグ端子１３の第１空間Ｓ１への圧入（挿入）をガイドする溝部１１５ａが形成されている。そのため、第１本体部１３０の後方に突出した片側の側壁１３４を押圧することで、第１プラグ端子１３を第１空間Ｓ１へ圧入（挿入）させる場合であっても、第１プラグ端子１３の位置ずれが抑制される。その結果、第１プラグ端子１３を、よりスムーズ且つより正確に第１空間Ｓ１へと圧入（挿入）させることができる。
【００９４】
そして、第１脚部１３１が、延設壁１３９の後端部から下方（ケーブル１Ａ：被実装部材）に向けて延設されている。このように、本実施形態では、第１脚部１３１は、第１空間Ｓ１に圧入（挿入）させた状態の第１本体部１３０からハウジング厚み方向に延設されている。また、第１脚部１３１の下端には、第１実装片１３２が前方に向けて突出するように連設されている。
【００９５】
このとき、第１脚部１３１および第１実装片１３２は、薄板状（板状）に形成されており、板厚方向が側壁本体１３７の板厚方向と略同一の方向となるように形成されている。
【００９６】
したがって、第１本体部１３０を第１空間Ｓ１に挿入するとともに第１実装片（第１実装部）１３２をケーブル（被実装部材）１Ａに実装した状態では、第１脚部１３１の板厚方向が幅方向（Ｙ方向）となる。すなわち、プラグコネクタ１をケーブル１Ａに実装した状態では、第１脚部１３１の板厚方向が、第１本体部１３０の第１空間Ｓ１への挿入方向および実装面１ａＡの法線方向と交差する方向となっている。
【００９７】
一方、第２プラグ端子１４も、導電性を有しており、プラグハウジング１０の幅方向（Ｙ方向）に複数並設されている。この第２プラグ端子１４は、図１３に示すように、１枚の帯板状の金属部材を板厚方向に曲げた形状をしており、挿入方向（前後方向；Ｘ方向）に沿って視た状態で略Ｕ字状をしている（図１３（ｅ），（ｆ）参照）。このような第２プラグ端子１４も、例えば、帯板状の金属部材に曲げ加工を施すことで形成することができる。
【００９８】
また、第２プラグ端子１４は、第２空間Ｓ２に圧入（挿入）される第２本体部１４０を備えている。さらに、第２プラグ端子１４は、第２本体部１４０から実装面１ａＡに向けて延設された第２脚部１４１と、第２脚部１４１に連設されてケーブル１Ａに実装される第２実装片（第２実装部）１４２と、を備えている。
【００９９】
第２本体部１４０は、底壁１４３と、底壁１４３の幅方向（Ｙ方向）両端部に連設された側壁１４４と、を備えている。
【０１００】
底壁１４３は、側壁１４４の下端が連設された底壁本体１４５と、底壁本体１４５の前端に連設されて前方に突出する接点保護部１４６と、を備えている。この接点保護部１４６は、第２本体部１４０を第２空間Ｓ２に圧入（挿入）する際に、第２プラグ端子１４の接点部１４０ａがハウジング本体１１に接触してしまうのを抑制するものである。
【０１０１】
また、底壁本体１４５および接点保護部１４６には、幅方向（Ｙ方向）両端から外方に向けて突出する規制片１４５ａ，１４６ａがそれぞれ形成されている。そして、この規制片１４５ａ，１４６ａによって、第２本体部１４０を第２空間Ｓ２に圧入（挿入）する際に、第２本体部１４０が斜めに圧入（挿入）されてしまうのが抑制されるようにしている。
【０１０２】
側壁１４４は、下端が底壁本体１４５に連設された側壁本体１４７と、側壁本体１４７の前端に弾性変形可能に連設され、レセプタクルコネクタの接点部に接触する接触片１４８と、を備えている。
【０１０３】
側壁本体１４７の上端には、規制突起１４７ａが形成されており、この規制突起１４７ａによって、第２本体部１４０を第２空間Ｓ２に圧入（挿入）する際に、第２本体部１４０が浮き上がってしまうのが抑制されるようにしている。
【０１０４】
また、接触片１４８は、幅方向内側に屈曲するように側壁本体１４７の前端に連設された内側屈曲片１４８ａと、幅方向内側に屈曲するように内側屈曲片１４８ａの前端に連設された外側屈曲片１４８ｂと、を備えている。
【０１０５】
本実施形態では、この接触片１４８は、一対の側壁本体１４７，１４７のそれぞれに連設されており、平面視で略線対称となるように形成されている。すなわち、一対の接触片１４８，１４８は、前方に向かうにつれて互いに近づく方向に屈曲した形状の内側屈曲片１４８ａ，１４８ａと、前方に向かうにつれて互いに離れる方向に屈曲した形状の外側屈曲片１４８ｂ，１４８ｂと、を備えている。
【０１０６】
そして、一対の接触片１４８，１４８が最も近づいた部位（内側屈曲片１４８ａと外側屈曲片１４８ｂとの連設部）で、レセプタクルコネクタの接点部を挟持するようにしている（図３（ｂ）および図６（ｂ）参照）。このように、本実施形態では、一対の接触片１４８，１４８を、第２プラグ端子１４の接点部１４０ａとして機能させている。そして、一対の外側屈曲片１４８ｂを、レセプタクルコネクタの接点部をよりスムーズに導入するためのガイド部として機能させている。
【０１０７】
さらに、本実施形態では、一対の側壁本体１４７，１４７のうちの一方の側壁本体１４７の後端に、後方に突出する延設壁１４９が連設されており、第２本体部１４０は、片側が後方に突出した形状をしている。
【０１０８】
この延設壁１４９の上端には、圧入突起１４９ａが形成されており、この圧入突起１４９ａをハウジング本体１１に食い込ませることで、第２本体部１４０が第２空間Ｓ２に圧入されている。
【０１０９】
なお、本実施形態では、第２プラグ端子１４の側壁１４４の上端が挿入されて、第２プラグ端子１４の第２空間Ｓ２への圧入（挿入）をガイドする溝部１１１ｃが形成されている。そのため、第２本体部１４０の後方に突出した片側の側壁１４４を押圧することで、第２プラグ端子１４を第２空間Ｓ２へ圧入（挿入）させる場合であっても、第２プラグ端子１４の位置ずれが抑制される。その結果、第２プラグ端子１４を、よりスムーズ且つより正確に第２空間Ｓ２へと圧入（挿入）させることができる。
【０１１０】
そして、第２脚部１４１が、延設壁１４９の後端部から下方（ケーブル１Ａ：被実装部材）に向けて延設されている。この第２脚部１４１は、上下方向の長さが第１脚部１３１よりも長くなっている。このように、本実施形態では、第２脚部１４１は、第２空間Ｓ２に圧入（挿入）させた状態の第２本体部１４０からハウジング厚み方向に延設されている。また、第２脚部１４１の下端には、第２実装片１４２が後方に向けて突出するように連設されている。
【０１１１】
このように、本実施形態では、前後方向（Ｘ方向：本体部の空間への挿入方向）の前方（一方側）に突出するように第１実装片（第１実装部）１３２が第１脚部１３１に連設されている。また、前後方向（Ｘ方向：本体部の空間への挿入方向）の後方（他方側）に突出するように第２実装片（第２実装部）１４２が第２脚部１４１に連設されている。
【０１１２】
また、第１脚部１３１および第２脚部１４１は、第１本体部１３０および第２本体部１４０を第１空間Ｓ１および第２空間Ｓ２に挿入した状態で、前後方向の位置が略同一となるようにしている（図１４参照）。そして、第１脚部１３１および第２脚部１４１は、第１本体部１３０および第２本体部１４０を第１空間Ｓ１および第２空間Ｓ２に挿入した状態で、幅方向の位置が略半ピッチだけずれるようにしている。
【０１１３】
したがって、本実施形態では、複数のプラグ端子をプラグハウジング１０に保持させた状態で、実装部（第１実装片１３２および第２実装片１４２）が千鳥状に配置されるようになっている。
【０１１４】
さらに、第１実装片１３２は、第１本体部１３０を第１空間Ｓ１に挿入した状態で、底壁１１２の後端部に形成された凹部１１２ｆに収容されるようにしている。一方、第２実装片１４２は、第２本体部１４０を第２空間Ｓ２に挿入した状態で、第２空間Ｓ２の挿入口Ｓ１ａよりも後方に位置するようにしている。
【０１１５】
したがって、複数のプラグ端子をプラグハウジング１０に保持させるとともにケーブル１Ａに実装させた状態における平面視で、第１実装片１３２がプラグハウジング１０と重なり合うこととなる。一方、複数のプラグ端子をプラグハウジング１０に保持させるとともにケーブル１Ａに実装させた状態における平面視で、第２実装片１４２がプラグハウジング１０から露出することとなる。
【０１１６】
すなわち、プラグコネクタ１をケーブル１Ａに実装した状態で、プラグハウジング１０を実装面１ａＡの法線方向に沿って視たときに、第１実装片１３２および第２実装片１４２のうちいずれか一方の実装片（実装部）がプラグハウジング１０と重なり合っている。
【０１１７】
このように、本実施形態では、複数のプラグ端子がプラグハウジングに保持された状態で、実装部が空間の挿入口（後端縁）を挟んだ両側に千鳥状に配置されるようにしている。
【０１１８】
また、第２脚部１４１および第２実装片１４２も、薄板状（板状）に形成されており、板厚方向が側壁本体１４７の板厚方向と略同一の方向となるように形成されている。
【０１１９】
したがって、第２本体部１４０を第２空間Ｓ２に挿入するとともに第２実装片（第２実装部）１４２をケーブル（被実装部材）１Ａに実装した状態では、第２脚部１４１の板厚方向が幅方向（Ｙ方向）となる。すなわち、プラグコネクタ１をケーブル１Ａに実装した状態では、第２脚部１４１の板厚方向が、第２本体部１４０の第２空間Ｓ２への挿入方向および実装面１ａＡの法線方向と交差する方向となっている。
【０１２０】
また、本実施形態では、第１挿入口Ｓ１ａが、空間Ｓ１，Ｓ２に端子１３，１４の本体部１３０，１４０を挿入した状態で、前後方向の後方から視たときに、第２脚部１４１によって２つの領域Ｒ１，Ｒ２に分断されている（図１６参照）。すなわち、プラグコネクタ１をケーブル１Ａに実装した状態で、プラグハウジングを本体部１３０，１４０の空間Ｓ１，Ｓ２への挿入方向に沿って視たときに、第１空間Ｓ１の第１挿入口Ｓ１ａが第２脚部１４１によって２つの領域Ｒ１，Ｒ２に分断されている。
【０１２１】
さらに、本実施形態では、第１本体部１３０の第１空間Ｓ１への圧入（挿入）完了位置において、第１脚部１３１が、溝部１１２ｅに挿入されて幅方向（Ｙ方向；板厚方向）への移動が規制された状態で保持されるようにしている。すなわち、ハウジング本体１１の底壁１１２に形成された溝部１１２ｅを、第１脚部１３１を保持する脚部保持部１１８として機能させている。このように、プラグコネクタ１は、プラグハウジング１０に接続され、第１脚部１３１を保持する脚部保持部１１８を備えている。本実施形態では、脚部保持部１１８は、プラグハウジング１０に一体に形成されている。なお、プラグハウジング１０とは別体の部材をプラグハウジング１０に接続することで、脚部保持部を形成してもよい。
【０１２２】
また、第２本体部１４０の第２空間Ｓ２への圧入（挿入）完了位置において、第２脚部１４１が、溝部１１５ｂおよび溝部１１２ｄに挿入されて幅方向（Ｙ方向；板厚方向）への移動が規制された状態で保持されるようにしている。すなわち、ハウジング本体１１の仕切り壁１１５に形成された溝部１１５ｂおよび底壁１１２に形成された溝部１１２ｅを、第２脚部１４１を保持する脚部保持部１１９として機能させている。このように、プラグコネクタ１は、プラグハウジング１０に接続され、第２脚部１４１を保持する脚部保持部１１９を備えている。本実施形態では、脚部保持部１１９も、プラグハウジング１０に一体に形成されているが、別体に形成されていてもよい。
【０１２３】
こうすることで、端子１３，１４の本体部１３０，１４０の空間Ｓ１，Ｓ２への圧入（挿入）時や、空間Ｓ１，Ｓ２に圧入（挿入）された端子１３，１４のケーブル１Ａへの実装時などに、脚部１３１，１４１が変形してしまうのが抑制されるようにしている。
【０１２４】
［レセプタクルコネクタ２の構成例］
次に、レセプタクルコネクタ２の構成の一例を、図１８〜図２４に基づき説明する。
【０１２５】
レセプタクルコネクタ２は、図１８，１９に示すように、レセプタクルハウジング（ハウジング）２０と、レセプタクルハウジング２０に保持されるレセプタクル端子（端子）２３，２４と、を備えている。また、レセプタクルコネクタ２は、レセプタクルハウジング２０に保持される保持金具２５を備えている。
【０１２６】
そして、レセプタクルハウジング２０に保持されたレセプタクル端子２３，２４が、レセプタクルハウジング２０の外側に配置された回路基板２Ａの導体部２ｂＡに実装されることで、レセプタクルコネクタ２が被実装部材としての回路基板２Ａに実装されるようになっている。なお、レセプタクル端子２３，２４も、半田付け等により導体部２ｂＡに実装されている。また、保持金具２５は、レセプタクルハウジング２０に保持された状態で、半田付け等により回路基板２Ａの固定部２ｃＡに固定されることで、レセプタクルハウジング２０を回路基板２Ａに固定するためのものである。
【０１２７】
なお、回路基板２Ａは、略矩形板状をしており、剛性および絶縁性を有する樹脂材料等で形成された基板本体２ａＡを備えている。そして、この基板本体２ａＡの表面２１ａＡに露出するように、導体部２ｂＡおよび固定部２ｃＡが形成されている。このように、本実施形態では、基板本体２ａＡの表面２１ａＡが実装面となっている。
【０１２８】
レセプタクルハウジング２０は、剛性を有するハウジング本体２１を備えており、このレセプタクルハウジング２０は、例えば、絶縁性の樹脂材料を用いて形成することができる。
【０１２９】
また、ハウジング本体２１の上部には、プラグハウジング１０とレセプタクルハウジング２０とを嵌合状態で保持したり、嵌合状態を解除したりするロック部１２が挿入されるロック部挿入部２２が形成されている。
【０１３０】
このように、本実施形態では、レセプタクルハウジング２０は、ハウジング本体２１と、ハウジング本体２１に形成されたロック部挿入部２２と、を備えている。
【０１３１】
ハウジング本体２１は、天壁２１１と、底壁２１２と、天壁２１１および底壁２１２の幅方向（Ｙ方向）の両端をそれぞれ連設する一対の側壁２１３と、天壁２１１、底壁２１２および側壁２１３，２１３の後端に連設された後壁２１４と、を備えている。
【０１３２】
そして、天壁２１１の幅方向中央部にロック部挿入部２２が形成されている。具体的には、ロック部挿入部２２は、天壁２１１における上方に突出させた部位の内側に形成されており、レバー部１２１を収容する収容部２２１を備えている。この収容部２２１の前後方向の中央部には、ロック部１２の係合突部１２１ｂが係合する被係合部（係合凹部）２２１ａが形成されている。また、収容部２２１の幅方向両側には、ガイド壁部１１１ａが挿入されるガイド溝２２１ｃが形成されている。
【０１３３】
そして、天壁２１１には、ガイド溝１１１ｂに収容されるガイド突部２１１ｂが形成されている。
【０１３４】
また、後壁２１４には、前後方向に貫通する空間が複数形成されている。本実施形態では、幅方向（Ｙ方向）に複数並設された空間が上下方向（Ｚ方向）に２段形成されるようにしている。さらに、ハウジング本体２１を前後方向の後方から視たときに、複数の空間が千鳥状に形成されるようにしている。こうすることで、レセプタクルコネクタ２の幅方向の小型化を図っている。
【０１３５】
そして、前後方向に貫通する空間内に、レセプタクル端子２３，２４がそれぞれ圧入（挿入）されるようになっている。
【０１３６】
具体的には、ハウジング本体２１の下側（実装面２１ａＡ側）に形成された空間が、レセプタクル端子２３，２４のうち後述する第１レセプタクル端子２３が圧入（挿入）される第１空間Ｓ３となっている。
【０１３７】
一方、ハウジング本体２１の上側（第１空間Ｓ３よりも実装面２１ａＡから離れた位置）に形成された空間が、レセプタクル端子２３，２４のうち後述する第２レセプタクル端子２４が圧入（挿入）される第２空間Ｓ４となっている。
【０１３８】
そして、第１レセプタクル端子２３は、第１空間Ｓ３の後端側の開口から前方に向けて圧入（挿入）されるようになっており、この第１空間Ｓ３の後端側の開口が挿入口Ｓ３ａとなっている。同様に、第２レセプタクル端子２４は、第２空間Ｓ４の後端側の開口から前方に向けて圧入（挿入）されるようになっており、この第２空間Ｓ４の後端側の開口が挿入口Ｓ４ａとなっている。
【０１３９】
また、ハウジング本体２１には、前方（プラグコネクタ１側）に開口する嵌合空間Ｓ５が形成されている。この嵌合空間Ｓ５は、プラグハウジング１０のハウジング本体１１が挿入嵌合される空間で、天壁２１１、底壁２１２、一対の側壁２１３，２１３および後壁２１４によって画成されている。したがって、第１空間Ｓ３および第２空間Ｓ４は、それぞれ嵌合空間Ｓ５に連通するように形成されている。
【０１４０】
さらに、本実施形態では、後壁２１４の後端に、上下方向に延在して後方に突出する突条２１４ａが幅方向に複数並設されている。具体的には、突条２１４ａは、幅方向で隣り合う第１空間Ｓ３と第２空間Ｓ４との間に形成されている。
【０１４１】
また、底壁２１２の後端部には、下方および後方に開口して前後方向に延在する凹部２１２ａが形成されている。この凹部２１２ａは、圧入（挿入）完了状態における第２レセプタクル端子２４の実装片（実装部）２４２が収容されるものである。
【０１４２】
また、一対の側壁２１３，２１３には、保持金具２５が保持される保持金具取付部２１３ａ，２１３ａがそれぞれ形成されている。
【０１４３】
本実施形態では、保持金具取付部２１３ａは、上下方向および幅方向の外方に開口する凹部２１３ｂと、凹部２１３ｂの幅方向内側に連設されて、保持金具２５の本体部２５１の前後方向の両端が挿入されるスリット２１３ｃ，２１３ｃと、備えている。そして、保持金具２５をレセプタクルハウジング２０に保持した状態で、本体部２５１の下端に連設された固定片２５２を回路基板２Ａの固定部２ｃＡに固定することで、レセプタクルハウジング２０を回路基板２Ａに固定させている。
【０１４４】
また、本実施形態では、レセプタクル端子は、レセプタクルハウジング２０に形成された空間に挿入される本体部と、本体部から回路基板２Ａの実装面２１ａＡに向けて延設された脚部と、脚部に連設されて回路基板２Ａに実装される実装部と、を備えている。
【０１４５】
具体的には、レセプタクル端子は、ハウジング本体２１の下側（実装面２１ａＡ側）に形成された第１空間Ｓ３に圧入（挿入）される第１レセプタクル端子２３を備えている。さらに、レセプタクル端子は、ハウジング本体２１の上側（第１空間Ｓ３よりも実装面２１ａＡから離れた位置）に形成された第２空間Ｓ４に圧入（挿入）される第２レセプタクル端子２４を備えている。
【０１４６】
本実施形態では、第１レセプタクル端子２３は、導電性を有しており、レセプタクルハウジング２０の幅方向（Ｙ方向）に複数並設されている。この第１レセプタクル端子２３は、図２２に示すように、薄板状に形成されており、板厚方向を幅方向（Ｙ方向）に略一致させた状態でハウジング本体２１に形成された第１空間Ｓ３に後方から圧入（挿入）されている。このような第１レセプタクル端子２３は、例えば、薄板金属を打抜き加工することで形成することができる。
【０１４７】
また、第１レセプタクル端子２３は、第１空間Ｓ３に圧入（挿入）される第１本体部２３０を備えている。さらに、第１レセプタクル端子２３は、第１本体部２３０から実装面２１ａＡに向けて延設された第１脚部２３１と、第１脚部２３１に連設されて回路基板２Ａに実装される第１実装片（第１実装部）２３２と、を備えている。
【０１４８】
そして、第１本体部２３０の前端には、略棒状の接点部２３０ａが前方に突出するように形成されている。また、第１本体部２３０の上端および下端には、圧入突起２３０ｂが形成されており、この圧入突起２３０ｂをハウジング本体２１に食い込ませることで、第１本体部２３０が第１空間Ｓ３に圧入されている。そして、第１本体部２３０を第１空間Ｓ３に圧入（挿入）した状態で、接点部２３０ａが嵌合空間Ｓ５内に配置されるようにしている。
【０１４９】
また、本実施形態では、第１脚部２３１が、第１本体部２３０の後端部から下方（回路基板２Ａ：被実装部材）に向けて延設されている。具体的には、第１脚部２３１は、クランク状に屈曲した形状をしており、下端が第１本体部２３０よりも後方に位置するようになっている。このように、本実施形態では、第１脚部２３１は、第１空間Ｓ３に圧入（挿入）させた状態の第１本体部２３０からハウジング厚み方向（上下方向）に延設されている。そして、この第１脚部２３１の下端に、第１実装片２３２が後方に向けて突出するように連設されている。
【０１５０】
一方、第２レセプタクル端子１４も、導電性を有しており、レセプタクルハウジング２０の幅方向（Ｙ方向）に複数並設されている。この第２レセプタクル端子２４は、図２３に示すように、薄板状に形成されており、板厚方向を幅方向（Ｙ方向）に略一致させた状態でハウジング本体２１に形成された第２空間Ｓ４に後方から圧入（挿入）されている。このような第２レセプタクル端子２４も、例えば、薄板金属を打抜き加工することで形成することができる。
【０１５１】
また、第２レセプタクル端子２４は、第２空間Ｓ４に圧入（挿入）される第２本体部２４０を備えている。さらに、第２レセプタクル端子２４は、第２本体部２４０から実装面２１ａＡに向けて延設された第２脚部２４１と、第２脚部２４１に連設されて回路基板２Ａに実装される第２実装片（第２実装部）２４２と、を備えている。
【０１５２】
そして、第２本体部２４０の前端には、略棒状の接点部２４０ａが前方に突出するように形成されている。また、第２本体部２４０の上端および下端には、圧入突起２４０ｂが形成されており、この圧入突起２４０ｂをハウジング本体２１に食い込ませることで、第２本体部２４０が第２空間Ｓ４に圧入されている。そして、第２本体部２４０を第２空間Ｓ４に圧入（挿入）した状態で、接点部２４０ａが嵌合空間Ｓ５内に配置されるようにしている。
【０１５３】
また、本実施形態では、第２脚部２４１が、第２本体部２４０の後端部から下方（回路基板２Ａ：被実装部材）に向けて略直線状に延設されている。このように、本実施形態では、第２脚部２４１は、第２空間Ｓ４に圧入（挿入）させた状態の第２本体部２４０からハウジング厚み方向（上下方向）に延設されている。この第２脚部２４１は、上下方向の長さが第１脚部２３１よりも長くなっている。そして、この第２脚部２４１の下端に、第１実装片２３２が前方に向けて突出するように連設されている。
【０１５４】
このように、本実施形態では、前後方向（Ｘ方向：本体部の空間への挿入方向）の前方（一方側）に突出するように第２実装片（第２実装部）２４２が第２脚部２４１に連設されている。また、前後方向（Ｘ方向：本体部の空間への挿入方向）の後方（他方側）に突出するように第１実装片（第１実装部）２３２が第１脚部２３１に連設されている。
【０１５５】
すなわち、複数のレセプタクル端子をレセプタクルハウジング２０に保持させた状態で、実装部（第１実装片２３２および第２実装片２４２）が千鳥状に配置されるようになっている。
【０１５６】
さらに、第２実装片２４２は、第２本体部２４０を第２空間Ｓ４に挿入した状態で、底壁２１２の後端部に形成された凹部２１２ａに収容されるようにしている。一方、第１実装片２３２は、第１本体部２３０を第１空間Ｓ３に挿入した状態で、第１空間Ｓ３の挿入口Ｓ３ａよりも後方に位置するようにしている。
【０１５７】
したがって、複数のレセプタクル端子をレセプタクルハウジング２０に保持させるとともに回路基板２Ａに実装させた状態における平面視で、第２実装片２４２がレセプタクルハウジング２０と重なり合うこととなる。一方、複数のレセプタクル端子をレセプタクルハウジング２０に保持させるとともに回路基板２Ａに実装させた状態における平面視で、第１実装片２３２がレセプタクルハウジング２０から露出することとなる。
【０１５８】
すなわち、レセプタクルコネクタ１を回路基板２Ａに実装した状態で、レセプタクルハウジング２０を実装面２１ａＡの法線方向に沿って視たときに、第１実装片２３２および第２実装片２４２のうちいずれか一方の実装片（実装部）がレセプタクルハウジング２０と重なり合っている。
【０１５９】
このように、本実施形態では、複数のレセプタクル端子がレセプタクルハウジングに保持された状態で、実装部が空間の挿入口（後端縁）を挟んだ両側に千鳥状に配置されるようにしている。
【０１６０】
さらに、本実施形態では、第１本体部２３０の第１空間Ｓ３への圧入（挿入）完了位置において、第１脚部２３１が突条２１４ａの間に、幅方向（Ｙ方向；板厚方向）への移動が規制された状態で保持されるようにしている。すなわち、ハウジング本体２１の後壁２１４に形成された突条２１４ａを、第１脚部２３１を保持する脚部保持部２１６として機能させている。このように、レセプタクルコネクタ２は、レセプタクルハウジング２０に接続され、第１脚部２３１を保持する脚部保持部２１６を備えている。本実施形態では、脚部保持部２１６は、レセプタクルハウジング２０に一体に形成されている。なお、レセプタクルハウジング２０とは別体の部材をレセプタクルハウジング２０に接続することで、脚部保持部を形成してもよい。
【０１６１】
また、第２本体部２４０の第２空間Ｓ４への圧入（挿入）完了位置において、第２脚部２４１が突条２１４ａの間に、幅方向（Ｙ方向；板厚方向）への移動が規制された状態で保持されるようにしている。すなわち、ハウジング本体２１の後壁２１４に形成された突条２１４ａを、第２脚部２４１を保持する脚部保持部２１７として機能させている。このように、レセプタクルコネクタ２は、レセプタクルハウジング２０に接続され、第２脚部２４１を保持する脚部保持部２１７を備えている。本実施形態では、脚部保持部２１７も、レセプタクルハウジング２０に一体に形成されているが、別体に形成されていてもよい。
【０１６２】
こうすることで、端子２３，２４の本体部２３０，２４０の空間Ｓ３，Ｓ４への圧入（挿入）時に、脚部２３１，２４１が変形してしまうのが抑制されるようにしている。
【０１６３】
このような構成をしたレセプタクルコネクタ２に上述のプラグコネクタ１を嵌合させると、プラグハウジング１０のロック部１２がレセプタクルハウジング２０のロック部挿入部２２に挿入され、ハウジング本体１１が嵌合空間Ｓ５に挿入されることとなる。
【０１６４】
このとき、レバー部１２１の係合突部１２１ｂがレセプタクルハウジング２０の天壁２１１により下方に押圧されることになる。このように、係合突部１２１ｂが天壁２１１により下方に押圧されると、レバー部１２１の後端部（操作部１２１ａ）が下方に移動するように弾性変形して、係合突部１２１ｂがロック部挿入部２２の奥側まで移動できるようになる。
【０１６５】
そして、係合突部１２１ｂをロック部挿入部２２の奥側まで移動させると、天壁２１１による係合突部１２１ｂの下方への押圧が解除されて、レバー部１２１の弾性復元力により係合突部１２１ｂが上方に移動する。そして、係合突部１２１ｂが上方に移動することで、レセプタクルコネクタ２に形成された被係合部２２１ａに係合して、プラグコネクタ１とレセプタクルコネクタ２とが嵌合状態でロックされることになる。
【０１６６】
また、プラグコネクタ１をレセプタクルコネクタ２に嵌合させる途中で、第１レセプタクル端子２３の接点部２３０ａの先端が導入口Ｓ１ｂからプラグハウジング１０に形成された第１空間Ｓ１内に導入されて、第１プラグ端子１３の接点部１３０ａに接触する。なお、本実施形態では、略棒状の接点部２３０ａが一対の接触片１３８，１３８の間に挿入され、一対の接触片１３８，１３８によって挟持されることで、第１プラグ端子１３と第１レセプタクル端子２３とを導通接続させている。
【０１６７】
同様に、第２レセプタクル端子２４の接点部２４０ａの先端が導入口Ｓ２ｂからプラグハウジング１０に形成された第２空間Ｓ２内に導入されて、第２プラグ端子１４の接点部１４０ａに接触する。なお、本実施形態では、略棒状の接点部２４０ａが一対の接触片２３８，２３８の間に挿入され、一対の接触片２３８，２３８によって挟持されることで、第２プラグ端子１４と第２レセプタクル端子２４とを導通接続させている。
【０１６８】
このように、プラグコネクタ１をレセプタクルコネクタ２に嵌合させて、端子１３，１４と端子２３，２４とを導通接続させることで、ケーブル１Ａと回路基板２Ａとを電気的に接続させるコネクタセットＣ１が形成される。
【０１６９】
一方、プラグコネクタ１をレセプタクルコネクタ２から取り外す際には、まず、レバー部１２１の操作部１２１ａを押し下げて、レバー部１２１を下方に移動させる。こうすることで、係合突部１２１ｂも下方に移動し、係合突部１２１ｂと被係合部２２１ａとの係合が解除される。そして、係合突部１２１ｂと被係合部２２１ａとの係合を解除した状態で、プラグコネクタ１をレセプタクルコネクタ２に対して抜去方向に引っ張ると、プラグコネクタ１がレセプタクルコネクタ２に対して抜去方向に相対移動することとなる。このように、プラグコネクタ１をレセプタクルコネクタ２に対して抜去方向に相対移動させると、まず、端子同士の導通接続が解除され、その後に、ハウジング同士の嵌合が解除されることとなる。こうして、プラグコネクタ１がレセプタクルコネクタ２から取り外されることになる。
【０１７０】
［レセプタクルコネクタ３の構成例］
次に、レセプタクルコネクタ３の構成の一例を、図２５〜図４０に基づき説明する。
【０１７１】
レセプタクルコネクタ３は、図２５に示すように、電線３Ａが接続される複数の中継端子３３と、中継端子３３が挿入される空間が複数形成されたレセプタクルハウジング３０と、を備えている。さらに、レセプタクルコネクタ３は、レセプタクルハウジング３０に装着されて中継端子３３のレセプタクルハウジング３０からの抜けを規制するリテーナ３４を備えている。
【０１７２】
レセプタクルハウジング３０は、剛性を有しており、例えば、絶縁性の樹脂材料を用いて形成することができる。
【０１７３】
このレセプタクルハウジング３０は、図２５，図２６に示すように、略直方体状の前側ハウジング３１と、この前側ハウジング３１の後端に連設される略直方体状の後側ハウジング３２と、を備えている。本実施形態では、後側ハウジング３２は、前側ハウジング３１よりも一回り小さく形成されており、レセプタクルハウジング３０は、全体として、大きさの異なる２つの直方体を連結させたような形状をしている。
【０１７４】
前側ハウジング３１は、天壁３１１と、底壁３１２と、天壁３１１および底壁３１２の幅方向（Ｙ方向）の両端をそれぞれ連設する一対の側壁３１３と、天壁３１１、底壁３１２および側壁３１３，３１３の後端に連設された後壁３１４と、を備えている。
【０１７５】
そして、天壁３１１の幅方向中央部には、ロック部１２が挿入されるようになっている。具体的には、天壁３１１における幅方向略中央部に、レバー部１２１を収容する収容部３１１ａが形成されている。そして、収容部３１１ａの前後方向の中央部には、ロック部１２の係合突部１２１ｂが係合する被係合部（係合孔）３１１ｂが形成されている。また、収容部３１１ａの幅方向両側には、ガイド壁部１１１ａが挿入されるガイド溝３１１ｃが形成されている。
【０１７６】
また、前側ハウジング３１には、前方（プラグコネクタ１側）に開口する嵌合空間Ｓ６が形成されている。この嵌合空間Ｓ６は、プラグハウジング１０のハウジング本体１１が挿入嵌合される空間で、天壁３１１、底壁３１２、一対の側壁３１３，３１３および後壁３１４によって画成されている。
【０１７７】
一方、後側ハウジング３２は、天壁３２１と、底壁３２２と、天壁３２１および底壁３２２の幅方向（Ｙ方向）の両端をそれぞれ連設する一対の側壁３２３と、天壁３２１、底壁３２２および側壁３２３，３２３の前端に連設された前壁３２４と、を備えている。
【０１７８】
そして、本実施形態では、前側ハウジング３１の後壁３１４と後側ハウジング３２の前壁３２４とが一体化されており、後壁３１４と前壁３２４とで、レセプタクルハウジング３０を前後に区画する隔壁３００が形成されている。
【０１７９】
また、後側ハウジング３２は、一対の側壁３２３に連設されて、天壁３２１、底壁３２２および側壁３２３，３２３で画成された空間を上下に仕切る仕切り壁３２５を備えている。
【０１８０】
さらに、後側ハウジング３２は、天壁３２１および仕切り壁３２５に連設された上側隔壁３２６を複数備えており、この上側隔壁３２６によって、仕切り壁３２５で仕切られた上側の空間が複数の空間に仕切られている。また、後側ハウジング３２は、底壁３２２および仕切り壁３２５に連設された下側隔壁３２７を複数備えており、この下側隔壁３２７によって、仕切り壁３２５で仕切られた下側の空間が複数の空間に仕切られている。
【０１８１】
また、隔壁３００には、嵌合空間Ｓ６と後側ハウジング３２に形成された空間とを連通する貫通孔３００ａが形成されている。この貫通孔３００ａは、レセプタクルハウジング３０を前後方向に沿って視た場合に、上側隔壁３２６や下側隔壁３２７によって仕切られた空間と対応する部位に形成されている。すなわち、レセプタクルハウジング３０には、前後方向に貫通する複数の空間が形成されている。そして、前後方向に貫通する空間内に、中継端子３３がそれぞれ挿入されるようになっている。
【０１８２】
このように、本実施形態では、後側ハウジング３２の後端部に、幅方向（Ｙ方向）に複数並設された空間が上下方向（Ｚ方向）に２段形成されるようにしている。さらに、後側ハウジング３２を前後方向の後方から視たときに、複数の空間が千鳥状に形成されるようにしている。こうすることで、レセプタクルコネクタ３の幅方向の小型化を図っている。
【０１８３】
具体的には、後側ハウジング３２の後端部の上側に、天壁３２１、仕切り壁３２５および上側隔壁３２６によって画成された空間が幅方向（Ｙ方向）に複数並設されている。そして、この後側ハウジング３２の上側に形成された空間が、中継端子３３が挿入される第１空間Ｓ７となっている。
【０１８４】
一方、後側ハウジング３２の後端部の下側には、底壁３２２、仕切り壁３２５および下側隔壁３２７によって画成された空間が幅方向（Ｙ方向）に複数並設されている。そして、この後側ハウジング３２の下側に形成された空間が、中継端子３３が挿入される第２空間Ｓ８となっている。
【０１８５】
さらに、本実施形態では、上側隔壁３２６と下側隔壁３２７とが幅方向にずれた位置に形成されている。すなわち、中継端子３３の挿入方向が水平方向となるようにレセプタクルハウジング３０を配置した状態における平面視で、第１空間Ｓ７の一部と第２空間Ｓ８の一部とが重なり合っている。
【０１８６】
そして、第１空間Ｓ７の後端側の開口から中継端子３３が前方に向けて挿入されるようになっており、この第１空間Ｓ７の後端側の開口が挿入口Ｓ７ａとなっている。また、第１空間Ｓ７の前端側の開口（貫通孔３００ａ）は、中継端子３３が抜け落ちないように、挿入口Ｓ７ａよりも小さくなっている。すなわち、挿入口Ｓ７ａから挿入された中継端子３３の前方への移動が、隔壁３００によって規制されるようにしている。なお、第１空間Ｓ７の前端側の開口（貫通孔３００ａ）は、中継端子３３の略棒状の接点部３３３が挿入される挿入孔Ｓ７ｂとなっている。
【０１８７】
同様に、第２空間Ｓ８の後端側の開口から中継端子３３が前方に向けて挿入されるようになっており、この第２空間Ｓ８の後端側の開口が挿入口Ｓ８ａとなっている。また、第２空間Ｓ８の前端側の開口（貫通孔３００ａ）は、中継端子３３が抜け落ちないように、挿入口Ｓ８ａよりも小さくなっている。すなわち、挿入口Ｓ８ａから挿入された中継端子３３の前方への移動が、隔壁３００によって規制されるようにしている。なお、第２空間Ｓ７の前端側の開口（貫通孔３００ａ）は、中継端子３３の略棒状の接点部３３３が挿入される挿入孔Ｓ８ｂとなっている。
【０１８８】
また、天壁３２１の下部には、前後方向および下方に開口する溝部３２１ａが第１空間Ｓ７に連通するように形成されている。この溝部３２１ａは、後述する中継端子３３の突片３３１ｄの先端が挿入されて、中継端子３３の第１空間Ｓ７への挿入をガイドするものである。本実施形態では、溝部３２１ａは、図２８（ｂ）に示す状態で、第１空間Ｓ７の幅方向の片側（右側）に形成されている。そして、中継端子３３の第１空間Ｓ７への挿入開始から挿入完了状態に至るまでの間に、中継端子３３の突片３３１ｄの先端が溝部３２１ａを通過するように形成されている。
【０１８９】
同様に、底壁３２２の下部には、前後方向および上方に開口する溝部３２２ａが第２空間Ｓ８に連通するように形成されている。この溝部３２２ａも、中継端子３３の突片３３１ｄの先端が挿入されて、中継端子３３の第２空間Ｓ８への挿入をガイドするものである。本実施形態では、溝部３２２ａは、図２８（ｂ）に示す状態で、第２空間Ｓ８の幅方向の片側（左側）に形成されている。そして、中継端子３３の第２空間Ｓ８への挿入開始から挿入完了状態に至るまでの間に、中継端子３３の突片３３１ｄの先端が溝部３２２ａを通過するように形成されている。
【０１９０】
このように、本実施形態では、第２空間Ｓ８は、レセプタクルハウジング３０を前後方向の後方から視たときに、第１空間Ｓ７を反転（１８０度回転）させた形状をしている。
【０１９１】
また、天壁３２１には、上下方向および前方に開口する切り欠き３２１ｃが第１空間Ｓ７に連通するように形成されており、この切り欠き３２１ｃ内に、前方に突出して上下方向に弾性変形可能な突き当て片３２１ｂが形成されている。この突き当て片３２１ｂは、中継端子３３を第１空間Ｓ７に挿入させた状態（挿入完了状態）で、後述する中継端子３３の抜け止め片３３１ｅが突き当たることで、電線３Ａが接続された中継端子３３が抜けてしまうのを抑制するものである（図３７，図３８参照）。
【０１９２】
同様に、底壁３２２には、上下方向および前方に開口する切り欠き３２２ｃが第２空間Ｓ８に連通するように形成されており、この切り欠き３２２ｃ内に、前方に突出して上下方向に弾性変形可能な突き当て片３２２ｂが形成されている。この突き当て片３２２ｂも、中継端子３３を第２空間Ｓ８に挿入させた状態（挿入完了状態）で、中継端子３３の抜け止め片３３１ｅが突き当たることで、電線３Ａが接続された中継端子３３が抜けてしまうのを抑制するものである（図３９，図４０参照）。
【０１９３】
さらに、本実施形態では、後側ハウジング３２の前部に、リテーナ３４がスライド可能に挿入されるリテーナ収容空間Ｓ９が形成されている。リテーナ収容空間Ｓ９は、第１空間Ｓ７が第２空間Ｓ８の上方に位置するように後側ハウジング３２を配置した場合に、上方に開口するように形成されている。すなわち、第１空間Ｓ７が第２空間Ｓ８の上方に位置するように後側ハウジング３２を配置した状態で、リテーナ３４が上方からリテーナ収容空間Ｓ９に挿入されるようになっている。このとき、リテーナ３４は、リテーナ収容空間Ｓ９に、上下方向にスライド可能に収容されている。
【０１９４】
このリテーナ３４は、第１空間Ｓ７が第２空間Ｓ８の上方に位置するように後側ハウジング３２を配置した場合に、後側ハウジング３２に上下方向にスライド可能に装着されるリテーナ本体３４０を備えている。
【０１９５】
本実施形態では、リテーナ本体３４０は、天壁３４１と、底壁３４２と、天壁３４１および底壁３４２の幅方向（Ｙ方向）の両端をそれぞれ連設する一対の側壁３４３と、を備えている。
【０１９６】
また、リテーナ本体３４０は、天壁３４１および底壁３４２に連設される隔壁３４４を複数備えている。このように、隔壁３４４の隔壁３４４を設けることで、リテーナ本体３４０に、天壁３４１、底壁３４２および隣りあう隔壁３４４，３４４によって画成され、前後方向に貫通する挿通孔３４５が幅方向に複数並設されるようにしている。そして、各挿通孔３４５は、リテーナ本体３４０をリテーナ収容空間Ｓ９に収容した状態で、第１空間Ｓ７と連通するように形成されている。したがって、中継端子３３は、第１空間Ｓ７に挿入される際に挿通孔３４５にも挿通されることになる。
【０１９７】
また、本実施形態では、側壁３４３が、前後方向の後方に延在する後側延設部３４３ａと、上下方向の下方に延在する下側延設部３４３ｂと、を備えている。こうすることで、リテーナ本体３４０をリテーナ収容空間Ｓ９に収容する際や、リテーナ収容空間Ｓ９に収容したリテーナ本体３４０を上下にスライドさせる際等に、リテーナ本体３４０が幅方向や前後方向に動いてしまうのを抑制できるようにしている。
【０１９８】
また、天壁３４１の下部には、下方に突出する第１規制突起３４１ａが、挿通孔３４５内に配置されるように形成されている。この第１規制突起３４１ａは、リテーナ本体３４０をスライドさせた際に、第１空間Ｓ７に挿入された中継端子３３の抜けを規制するものである。
【０１９９】
また、第１規制突部３４１ａの後端には、延設突部３４１ｂが一体に連設されており、この延設突部３４１ｂは、下面が抜け止め片３３１ｅの上面の形状に沿うように形成されている。
【０２００】
そして、天壁３４１の下部には、後方および下方に開口する溝部３４５ａが挿通孔３４５に連通するように形成されている。この溝部３４５ａには、中継端子３３を第１空間Ｓ７に挿入させた状態（挿入完了状態）で、中継端子３３の突片３３１ｄの先端が挿入されるようになっている。そして、中継端子３３の突片３３１ｄが、リテーナ本体３４０の上下方向へのスライドをガイドしている。本実施形態では、溝部３４５ａは、図３０（ｃ）に示す状態で、挿通孔３４５の幅方向の片側（右側）に形成されている。
【０２０１】
さらに、本実施形態では、底壁３４２の下部には、下方に突出する第２規制突起３４２ａが形成されている。この第２規制突起３４２ａは、第１規制突起３４１ａと同じ方向に突出しており、リテーナ本体３４０をスライドさせた際に、第２空間Ｓ８に挿入された中継端子３３の抜けを規制するものである。
【０２０２】
中継端子３３は、導電性を有しており、レセプタクルハウジング３０の幅方向（Ｙ方向）に複数並設された中継端子群が上下に２つ形成されるように、レセプタクルハウジング３０に保持されている。この中継端子３３は、図３１に示すように、１枚の帯板状の金属部材を板厚方向に曲げた形状をしている。このような中継端子３３は、例えば、帯板状の金属部材に曲げ加工を施すことで形成することができる。
【０２０３】
また、中継端子３３は、前後方向（中継端子３３の空間への挿入方向）に延在する周壁を有する端子本体部３３１と、端子本体部３３１の前後方向の前側（一方側）に連設される接点部３３３と、を備えている。本実施形態では、接点部３３３は、略棒状をしており、前方に向かうにつれて径が小さくなるように形成された連結部３３２を介して端子本体部３３１に連結されている。
【０２０４】
また、中継端子３３は、端子本体部３３１の前後方向の後側（他方側）に連設され、電線３Ａが接続される電線接続部３３４を備えている。
【０２０５】
電線３Ａは、可撓性を有しており、絶縁性材料で形成された被覆部３ａＡと、被覆部３ａＡによって被覆された導体部３ｂＡと、を備えている。そして、電線３Ａは、中継端子３３に接続される側の先端で、導体部３ｂＡを露出させている。
【０２０６】
そして、電線接続部３３４を露出させた導体部３ｂＡに電気的に接続させることで、電線３Ａの導体部３ｂＡと中継端子３３とを導通接続させている。電線接続部３３４は、端子本体部３３１側に形成されて導体部３ｂＡにカシメ固定される導体カシメ部３３４ａと、導体カシメ部３３４ａよりも端子本体部３３１から離れた位置に形成され、被覆部３ａＡにカシメ固定される電線カシメ部３３４ｂと、を備えている。
【０２０７】
さらに、中継端子３３は、電線カシメ部３３４ｂよりも端子本体部３３１から離れた位置に形成され、電線３Ａが接続された中継端子３３の空間への挿入をガイドするガイド片３３５が形成されている。
【０２０８】
端子本体部３３１は、底壁３３１ａと、底壁３３１ａの幅方向両端に連設される一対の側壁３３１ｂと、側壁３３１ｂに連設され、底壁３３１ａの上方を覆う天壁３３１ｃと、を備えている。
【０２０９】
本実施形態では、底壁３３１ａ、一対の側壁３３１ｂ，３３１ｂおよび天壁３３１ｃが周壁に相当しており、端子本体部３３１は、略全周が周壁で覆われた略箱形をしている。
【０２１０】
また、側壁３３１ｂの一方には、上方に突出する突片３３１ｄが形成されている。この突片３３１ｄは、中継端子３３を空間へ挿入するときに、先端が溝部３２１ａや溝部３２２ａを通過したり、溝部３４５ａに収容されたりする部位である。
【０２１１】
また、天壁３３１ｃの後端には、後方に突出する抜け止め片３３１ｅが形成されている。この抜け止め片３３１ｅは、上下方向に弾性変形可能に形成されており、中継端子３３を第１空間Ｓ７に挿入させた状態（挿入完了状態）で、後端が突き当て片３２１ｂに突き当たるようになっている。また、中継端子３３を第２空間Ｓ８に挿入させた場合（挿入完了状態とした場合）には、後端が突き当て片３２２ｂに突き当たるようになっている。
【０２１２】
ここで、本実施形態では、前後方向の前方から視た状態（中継端子３３の空間への挿入方向に沿って視た状態）で、接点部３３３が前後方向に延在させた電線３Ａの中心から外れた位置に形成されている（図３２（ｄ）参照）。
【０２１３】
そして、第１空間Ｓ７に挿入される中継端子３３を、第１空間Ｓ７が第２空間Ｓ８の上方に位置するように後側ハウジング３２を配置した場合に、接点部３３３が下側となるようにした状態で第１空間Ｓ７に挿入されるようにしている。
【０２１４】
一方、第２空間Ｓ８に挿入される中継端子３３は、第１空間Ｓ７が第２空間Ｓ８の上方に位置するように後側ハウジング３２を配置した場合に、接点部３３３が上側に位置するようにした状態で第２空間Ｓ８に挿入されるようにしている。
【０２１５】
すなわち、第２空間Ｓ８に挿入される中継端子３３は、第１空間Ｓ７に挿入される中継端子３３を、電線３Ａの軸方向を中心として反転（１８０度回転）させた状態で、第２空間Ｓ８に挿入されている。さらに、第１空間Ｓ７に挿入される中継端子３３の接点部３３３と、第２空間Ｓ８に挿入される中継端子３３の接点部３３との上下方向の距離（最短距離）が、電線３Ａの中心間の上下方向の距離（最短距離）よりも小さくなるようにしている。
【０２１６】
さらに、端子本体部３３１の周壁には、上記のように中継端子３３を空間に挿入した場合に、上方に開口する第１挿通孔３３１ｆと、下方に開口する第２挿通孔３１ｇと、が形成されている。本実施形態では、第１挿通孔３３１ｆおよび第２挿通孔３１ｇは、平面視で互いに上下方向に対向するように形成されている。すなわち、第１挿通孔３３１ｆおよび第２挿通孔３１ｇは、平面視で、前後方向および幅方向で同じ位置となるように形成されている。
【０２１７】
そして、リテーナ本体３４０を上下方向の下方（一方向）にスライドさせた際に、リテーナ本体３４０に形成された第１規制突部３４１ａが第１挿通孔３３１ｆおよび第２挿通孔３３１ｇのうちのいずれか一方（第１挿通孔３３１ｆ）に挿入されるようにしている。さらに、リテーナ本体３４０に形成された第２規制突部３４２ａが他方（第２挿通孔３３１ｇ）に挿入されるようにしている。
【０２１８】
こうすることで、１つのリテーナ３４を一方側（下方）にスライドさせるだけで、第１空間Ｓ７に挿入された中継端子３３の抜けと、第２空間Ｓ８に挿入された中継端子３３の抜けと、をリテーナ３４によって同時に規制することができるようになる。
【０２１９】
また、１つのリテーナ３４を他方側（上方）にスライドさせるだけで、第１空間Ｓ７に挿入された中継端子３３の抜けの規制と、第２空間Ｓ８に挿入された中継端子３３の抜けの規制と、を同時に解除することができるようになる。
【０２２０】
なお、中継端子３３をそれぞれの空間（第１空間Ｓ７や第２空間Ｓ８に挿入した状態では、接点部３３３が嵌合空間Ｓ６内に配置されることとなる。
【０２２１】
次に、レセプタクルコネクタ３の組み付け方法の一例を説明する。なお、レセプタクルコネクタ３の組み付け方法は下記に示す方法に限られるものではない。
【０２２２】
まず、図３３に示すように、後側ハウジング３２にリテーナ３４を、上部が天壁３２１よりも上方に突出するように装着する。このとき、挿通孔３４５が第１空間Ｓ７とそれぞれ連通するようにした状態で、リテーナ本体３４０をリテーナ収容空間Ｓ９に収容している。
【０２２３】
また、後側ハウジング３２の空間に挿入される複数の中継端子３３に電線３Ａを接続させる（図３１，図３２参照）。
【０２２４】
なお、リテーナ本体３４０の後側ハウジング３２への装着と、複数の中継端子３３への電線３Ａの接続は、いずれかを先に行ってもよいし、同時に行ってもよい。
【０２２５】
次に、図３４に示すように、後側ハウジング３２の空間に、電線３Ａが接続された中継端子３３を挿入する。このとき、第２空間Ｓ８には、第１空間Ｓ７に挿入される中継端子３３を、電線３Ａの軸方向を中心として反転（１８０度回転）させた状態とした中継端子３３が挿入されるようにしている。さらに、第１空間Ｓ７に挿入される中継端子３３の接点部３３３と、第２空間Ｓ８に挿入される中継端子３３の接点部３３との上下方向の距離（最短距離）が、電線３Ａの中心間の上下方向の距離（最短距離）よりも小さくなるようにしている。
【０２２６】
そして、中継端子３３を第１空間Ｓ７に挿入させた状態（挿入完了状態）で、第１挿通孔３３１ｆが第１規制突部３４１ａと対向し、中継端子３３を第２空間Ｓ８に挿入させた状態（挿入完了状態）で、第２挿通孔３３１ｇが第２規制突部３４２ａと対向させる。
【０２２７】
次に、リテーナ本体３４０を下方にスライドさせて、リテーナ３４がリテーナ収容空間Ｓ９内に収容されるようにする。こうすることで、リテーナ本体３４０に形成された第１規制突部３４１ａが第１挿通孔３３１ｆに挿入され、第２規制突部３４２ａが第２挿通孔３３１ｇに挿入されることとなる。
【０２２８】
こうして、第１空間Ｓ７に挿入された中継端子３３の抜けと、第２空間Ｓ８に挿入された中継端子３３の抜けと、がリテーナ３４によって同時に規制されたレセプタクルコネクタ３が形成される（図３６，図３８，図４０参照）。
【０２２９】
このような構成をしたレセプタクルコネクタ３に上述のプラグコネクタ１を嵌合させると、プラグハウジング１０のロック部１２がレセプタクルハウジング３０の天壁３１１の幅方向中央部に挿入されることとなる。そして、ハウジング本体１１が前側ハウジング３１の嵌合空間Ｓ６に挿入されることとなる。
【０２３０】
具体的には、レバー部１２１の係合突部１２１ｂが前側ハウジング３１の天壁３１１により下方に押圧されることになる。このように、係合突部１２１ｂが天壁３１１により下方に押圧されると、レバー部１２１の後端部（操作部１２１ａ）が下方に移動するように弾性変形して、係合突部１２１ｂが嵌合空間Ｓ６の奥側まで移動できるようになる。
【０２３１】
そして、係合突部１２１ｂを嵌合空間Ｓ６の奥側まで移動させると、天壁３１１による係合突部１２１ｂの下方への押圧が解除されて、レバー部１２１の弾性復元力により係合突部１２１ｂが上方に移動する。そして、係合突部１２１ｂが上方に移動することで、レセプタクルコネクタ３に形成された被係合部３１１ｂに係合して、プラグコネクタ１とレセプタクルコネクタ３とが嵌合状態でロックされることになる。
【０２３２】
また、プラグコネクタ１をレセプタクルコネクタ３に嵌合させる途中で、第２空間Ｓ８に挿入された中継端子３３の接点部３３３の先端が、導入口Ｓ１ｂからプラグハウジング１０に形成された第１空間Ｓ１内に導入されて、第１プラグ端子１３の接点部１３０ａに接触する。なお、本実施形態では、略棒状の接点部３３３が一対の接触片１３８，１３８の間に挿入され、一対の接触片１３８，１３８によって挟持されることで、第１プラグ端子１３と中継端子３３とを導通接続させている。
【０２３３】
同様に、第１空間Ｓ７に挿入された中継端子３３の接点部３３３の先端が、導入口Ｓ２ｂからプラグハウジング１０に形成された第２空間Ｓ２内に導入されて、第２プラグ端子１４の接点部１４０ａに接触する。なお、本実施形態では、略棒状の接点部３３３が一対の接触片２３８，２３８の間に挿入され、一対の接触片２３８，２３８によって挟持されることで、第２プラグ端子１４と中継端子３３とを導通接続させている。
【０２３４】
このように、プラグコネクタ１をレセプタクルコネクタ３に嵌合させて、端子１３，１４と中継端子３３とを導通接続させることで、ケーブル１Ａと電線３Ａとを電気的に接続させるコネクタセットＣ２が形成される。
【０２３５】
一方、プラグコネクタ１をレセプタクルコネクタ３から取り外す際には、まず、レバー部１２１の操作部１２１ａを押し下げて、レバー部１２１を下方に移動させる。こうすることで、係合突部１２１ｂも下方に移動し、係合突部１２１ｂと被係合部３１１ｂとの係合が解除される。そして、係合突部１２１ｂと被係合部３１１ｂとの係合を解除した状態で、プラグコネクタ１をレセプタクルコネクタ３に対して抜去方向に引っ張ると、プラグコネクタ１がレセプタクルコネクタ３に対して抜去方向に相対移動することとなる。
【０２３６】
このように、プラグコネクタ１をレセプタクルコネクタ３に対して抜去方向に相対移動させると、まず、端子同士の導通接続が解除され、その後に、ハウジング同士の嵌合が解除されることとなる。こうして、プラグコネクタ１がレセプタクルコネクタ３から取り外されることになる。
【０２３７】
以上説明したように、本実施形態にかかるプラグコネクタ（コネクタ）１は、プラグハウジング１０と、プラグハウジング１０に保持され、プラグハウジング１０の外側に配置されたケーブル（被実装部材）１Ａに実装されるプラグ端子（端子）と、を備えている。
【０２３８】
また、プラグ端子は、プラグハウジング１０に形成された空間Ｓ１，Ｓ２に挿入される本体部と、本体部からケーブル１Ａの実装面１ａＡに向けて延設された脚部と、脚部に連設されてケーブル１Ａに実装される実装片（実装部）と、を備えている。
【０２３９】
そして、プラグコネクタ１は、プラグハウジング１０に接続されて、脚部を保持する脚部保持部をさらに備えている。
【０２４０】
こうすれば、プラグ端子をプラグハウジング１０に形成された空間Ｓ１，Ｓ２に挿入する際に、プラグ端子の脚部を、プラグハウジング１０に形成された脚部保持部に保持させることができる。その結果、プラグ端子の脚部が変形してしまうことを抑制することができ、より確実にプラグ端子をケーブル（被実装部材）１Ａに実装させることができるようになる。
【０２４１】
なお、プラグ端子をプラグハウジング１０に形成された空間Ｓ１，Ｓ２に挿入する際に、プラグ端子の脚部が変形してしまった場合、脚部保持部を設けることで、脚部が脚部保持部に保持されなくなったり、本体部が挿入完了位置まで挿入されなかったりする。そのため、より容易にプラグ端子の挿入不具合を確認することができ、このような観点からも、プラグ端子をケーブル（被実装部材）１Ａにより確実に実装させることができるようになる。
【０２４２】
また、本実施形態では、脚部が板状に形成されている。そして、本体部を空間に挿入するとともに実装部をケーブル１Ａに実装した状態で、脚部の板厚方向が、本体部の空間への挿入方向（Ｘ方向）および実装面１ａＡの法線方向（Ｚ方向）と交差する方向（Ｙ方向）となるようにしている。このように、板厚方向に変形しやすい脚部を有するプラグ端子を空間に挿入する場合であっても、脚部保持部を設けるようにすれば、プラグ端子をケーブル（被実装部材）１Ａにより確実に実装させることができるようになる。
【０２４３】
また、本実施形態では、プラグハウジング１０は、ケーブル（被実装部材）１Ａを受け入れる受入部（凹部１１２ｂ）を、ハウジング厚み方向（上下方向）の一方側の壁部（底壁１１２ｂ）に有している。そして、脚部が本体部からハウジング厚み方向に延設されている。
【０２４４】
こうすることで、プラグコネクタ１をケーブル（被実装部材）１Ａに実装した状態における高さが高くなってしまうことを抑制することができる。また、脚部の延設距離を小さくすることができる。
【０２４５】
また、本実施形態では、脚部保持部がプラグハウジング１０に一体に形成されている。こうすることで、部品点数が増加してしまうことを抑制することができる。また、別部材とした場合のように、脚部保持部がプラグハウジング１０から抜けてしまうことが抑制される。そのため、脚部が変形してしまうことを、より確実に抑制することができるようになる。
【０２４６】
また、本実施形態では、空間は、プラグハウジング１０に形成された第１空間Ｓ１と、プラグハウジング１０の第１空間Ｓ１よりも実装面１ａＡから離れた位置に形成された第２空間Ｓ２と、を備えている。また、プラグ端子は、第１プラグ端子（第１端子）１３と第２プラグ端子（第２端子）１４とを備えている。そして、第１プラグ端子１３は、第１空間Ｓ１に挿入される第１本体部１３０と、第１本体部１３０から実装面１ａＡに向けて延設された第１脚部１３１と、第１脚部１３１に連設されてケーブル１Ａに実装される第１実装部１３２と、を有している。
【０２４７】
また、第２プラグ端子１４は、第２空間Ｓ２に挿入される第２本体部１４０と、第２本体部１４０から実装面１ａＡに向けて延設された第２脚部１４１と、第２脚部１４１に連設されてケーブル１Ａに実装される第２実装部１４２と、を有している。
【０２４８】
そして、第１脚部１３１および第２脚部１４１のうち少なくともいずれか一方の脚部が脚部保持部に保持されている。
【０２４９】
こうすれば、第１プラグ端子１３および第２プラグ端子１４のいずれか一方の脚部が変形してしまうのを抑制することができ、プラグ端子をケーブル（被実装部材）１Ａにより確実に実装させることができるようになる。特に、比較的長い第２プラグ端子１４の第２脚部１４１を脚部保持部１１９に保持させるようにすれば、より効果的に脚部の変形を抑制することができるようになる。さらに、第１プラグ端子１３および第２プラグ端子１４の両方の脚部１３１，１４１を脚部保持部１１８，１１９に保持させるようにすれば、より確実に脚部の変形を抑制することができるようになる。
【０２５０】
また、本実施形態では、プラグ端子がプラグハウジング１０に保持されるとともにケーブル１Ａに実装された状態で、プラグハウジング１０を実装面１ａＡの法線方向（Ｚ方向）に沿って視たときに、第１空間Ｓ１と第２空間Ｓ２とが重なり合うようにしている。
【０２５１】
こうすれば、プラグコネクタ１の幅方向の小型化を図ることができるようになる。
【０２５２】
また、本実施形態では、空間Ｓ１，Ｓ２に本体部１３０，１４０を挿入した状態で、プラグハウジング１０を本体部１３０，１４０の空間Ｓ１，Ｓ２への挿入方向（Ｘ方向）に沿って視たときに、第１空間Ｓ１の第１挿入口Ｓ１ａが第２脚部１４１によって２つの領域Ｒ１，Ｒ２に分断されている。
【０２５３】
そして、第２脚部１４１が、第１挿入口Ｓ１ａを挟んだ２箇所で脚部保持部１１９（１１２ｅ，１１８ｂ）に保持されている。
【０２５４】
こうすれば、プラグコネクタ１の幅方向の小型化を図りつつ、第２脚部１４１が変形してしまうのをより確実に抑制することができるようになる。
【０２５５】
また、本実施形態では、本体部１３０，１４０の空間Ｓ１，Ｓ２への挿入方向（Ｘ方向）の一方側に突出するように第１実装部１３２が第１脚部１３１に連設されている。そして、本体部１３０，１４０の空間Ｓ１，Ｓ２への挿入方向（Ｘ方向）の他方側に突出するように第２実装部１４２が第２脚部１４１に連設されている。
【０２５６】
こうすれば、第１実装部１３２や第２実装部１４２の位置がプラグハウジング１０から遠くなってしまうことが抑制され、脚部１３１，１４１が変形してしまうのをより確実に抑制することができるようになる。
【０２５７】
また、本実施形態では、プラグ端子１３，１４がプラグハウジング１０に保持されるとともにケーブル１Ａに実装された状態で、プラグハウジング１０を実装面１ａＡの法線方向（Ｚ方向）に沿って視たときに、第１実装部１３２および第２実装部１４２のうちいずれか一方の実装部１３２がプラグハウジング１０と重なり合うようにしている。
【０２５８】
こうすれば、第１実装部１３２や第２実装部１４２の位置がプラグハウジング１０から遠くなってしまうことがより確実に抑制され、脚部１３１，１４１が変形してしまうのをより確実に抑制することができるようになる。
【０２５９】
また、本実施形態では、プラグ端子１３，１４を複数備えており、複数のプラグ端子１３，１４がプラグハウジング１０に保持された状態で実装部１３２，１４２が千鳥状に配置されるようにしている。こうすれば、絶縁距離を確保しつつプラグコネクタ１の幅方向の小型化を図ることができるようになる。
【０２６０】
以上、本開示の好適な実施形態について説明したが、本開示は上記実施形態およびその変形例には限定されず、種々の変形が可能である。
【０２６１】
例えば、上記実施形態で示した構成を適宜組み合わせて、コネクタを形成することができる。
【０２６２】
また、上記実施形態では、複数の端子が上下の２段に配置されたものを例示したが、複数の端子が１段のみに配置されたコネクタや３段以上に配置されたコネクタとすることも可能である。
【０２６３】
また、同一の段に配置される端子の形状を同一の形状としたコネクタを例示したが、同一の段に複数種類の端子が配置されたコネクタとすることも可能である。
【０２６４】
また、上記実施形態で示したレセプタクルコネクタ２にも脚部保持部が形成されている。したがって、レセプタクルコネクタ２を本開示のコネクタとし、プラグコネクタ１を相手側コネクタとすることも可能である。また、基板同士やケーブル同士を電気的に接続するコネクタ（プラグコネクタやレセプタクルコネクタ）に本開示を適用してもよい。また、電線と基板とを電気的に接続するコネクタ（プラグコネクタやレセプタクルコネクタ）に本開示を適用してもよい。
【０２６５】
また、上記実施形態では、１つのリテーナで、２段に配置された中継端子３３のそれぞれの抜けが規制されるレセプタクルコネクタを例示したが、２つ以上のリテーナを用い、中継端子３３の抜けを規制するようにしてもよい。すなわち、端子本体部３３１の周壁に第２挿通孔３１ｇが形成されていない中継端子を用いたコネクタとしてもよい。
【０２６６】
また、ハウジングや端子、その他細部のスペック（形状、大きさ、レイアウト等）も適宜に変更可能である。
【符号の説明】
【０２６７】
１  プラグコネクタ（コネクタ）
１０  プラグハウジング（ハウジング）
１１８  脚部保持部
１１９  脚部保持部
１３  第１プラグ端子（第１端子）
１３０  第１本体部
１３１  第１脚部
１３２  第１実装片（第１実装部）
１４  第２プラグ端子（第２端子）
１４０  第２本体部
１４１  第２脚部
１４２  第２実装片（第２実装部）
Ｓ１  第１空間
Ｓ２  第２空間
１Ａ  ケーブル（被実装部材）
１ａＡ  表面（実装面）
２  レセプタクルコネクタ（コネクタ）
２０  レセプタクルハウジング（ハウジング）
２１６  脚部保持部
２１７  脚部保持部
Ｓ３  第１空間
Ｓ４  第２空間
２３  第１レセプタクル端子（第１端子）
２３０  第１本体部
２３１  第１脚部
２３２  第１実装片（第１実装部）
２４  第２レセプタクル端子（第２端子）
２４０  第２本体部
２４１  第２脚部
２４２  第２実装片（第２実装部）
２Ａ  回路基板（被実装部）
２１ａＡ  表面（実装面）
【図１】
2019192612.tif 000003
【図２】
2019192612.tif 000004
【図３】
2019192612.tif 000005
【図４】
2019192612.tif 000006
【図５】
2019192612.tif 000007
【図６】
2019192612.tif 000008
【図７】
2019192612.tif 000009
【図８】
2019192612.tif 000010
【図９】
2019192612.tif 000011
【図１０】
2019192612.tif 000012
【図１１】
2019192612.tif 000013
【図１２】
2019192612.tif 000014
【図１３】
2019192612.tif 000015
【図１４】
2019192612.tif 000016
【図１５】
2019192612.tif 000017
【図１６】
2019192612.tif 000018
【図１７】
2019192612.tif 000019
【図１８】
2019192612.tif 000020
【図１９】
2019192612.tif 000021
【図２０】
2019192612.tif 000022
【図２１】
2019192612.tif 000023
【図２２】
2019192612.tif 000024
【図２３】
2019192612.tif 000025
【図２４】
2019192612.tif 000026
【図２５】
2019192612.tif 000027
【図２６】
2019192612.tif 000028
【図２７】
2019192612.tif 000029
【図２８】
2019192612.tif 000030
【図２９】
2019192612.tif 000031
【図３０】
2019192612.tif 000032
【図３１】
2019192612.tif 000033
【図３２】
2019192612.tif 000034
【図３３】
2019192612.tif 000035
【図３４】
2019192612.tif 000036
【図３５】
2019192612.tif 000037
【図３６】
2019192612.tif 000038
【図３７】
2019192612.tif 000039
【図３８】
2019192612.tif 000040
【図３９】
2019192612.tif 000041
【図４０】
2019192612.tif 000042